(57)【要約】【課題】購入者が実際に買物を行っている店舗の商品情報を、当該購入者が携帯している携帯型通信端末で閲覧できるようにする。【解決手段】管理対象である複数の店舗毎にその店舗で販売される商品の価格を含む商品詳細情報を記憶する店舗別商品詳細情報記憶部を設ける。携帯型通信端末から商品識別情報及び店舗識別情報を含む商品詳細情報要求を受信する毎に店舗別商品詳細情報記憶部を検索して、当該商品詳細情報要求に含まれる商品識別情報で特定される商品の同商品詳細情報要求に含まれる店舗識別情報で特定される店舗での価格を含む商品詳細情報を取得する。取得した商品詳細情報を商品詳細情報要求元の携帯型通信端末に返信する。【選択図】      図２４
2008217489.tif 000002
【特許請求の範囲】
【請求項１】
各購入者がそれぞれ携帯可能で、その購入者の購買取引に用いられる複数の携帯型通信端末と、ネットワークを通じて前記携帯型通信端末から要求を受けその要求を処理する店舗管理装置とを備えてなる購買取引支援システムにおいて、
前記携帯型通信端末は、購買取引対象店舗の店舗識別情報を記憶する店舗識別情報記憶部と、購入対象商品を特定する商品識別情報を入力するための入力部と、この入力部を介して入力される商品識別情報を前記店舗識別情報記憶部に記憶されている店舗識別情報とともに前記ネットワークを介して前記店舗管理装置に送信して商品詳細情報を要求する商品詳細情報要求手段と、この商品詳細情報要求手段による要求に対して前記店舗管理装置から返信された商品詳細情報を表示する商品詳細情報表示手段とを具備し、
前記店舗管理装置は、管理対象である複数の店舗毎にその店舗で販売される商品の価格を含む商品詳細情報を記憶する店舗別商品詳細情報記憶部と、前記携帯型通信端末から前記商品識別情報及び店舗識別情報を含む商品詳細情報要求を受信する毎に前記店舗別商品詳細情報記憶部を検索して、当該商品詳細情報要求に含まれる商品識別情報で特定される商品の同商品詳細情報要求に含まれる店舗識別情報で特定される店舗での価格を含む商品詳細情報を取得する店舗別詳細情報取得手段と、この店舗別詳細情報取得手段により取得した商品詳細情報を前記商品詳細情報要求元の携帯型通信端末に返信する商品詳細情報返信手段とを具備したことを特徴とする購買取引支援システム。
【請求項２】
前記携帯型通信端末は、購買取引対象店舗の店舗識別情報を取得する店舗識別情報取得手段をさらに具備し、この店舗識別情報取得手段により得られた店舗識別情報を前記店舗識別情報記憶部記憶部で記憶することを特徴とする請求項１記載の購買取引支援システム。
【請求項３】
前記管理対象の各店舗にそれぞれ設けられ、前記携帯型通信端末と通信を行う通信手段を有した複数の店舗端末をさらに備え、
前記店舗端末は、予め設定された店舗識別情報を記憶する記憶部と、この記憶部に記憶された店舗識別情報を前記通信手段を介して前記携帯型通信端末に送信する店舗識別情報送信手段とを具備し、
前記携帯型通信端末の店舗識別情報取得手段は、前記店舗端末の前記店舗識別情報送信手段により送信される店舗識別情報を受信して取得することを特徴とする請求項２記載の購買取引支援システム。
【請求項４】
前記携帯型通信端末は、ＧＰＳ（Global Positioning System）衛星から送信された電波を受信し、この受信電波を基に現在位置を算出する現在位置算出手段と、この現在位置算出手段により算出された現在位置情報を前記ネットワークを介して前記店舗管理装置に送信して店舗識別情報を要求する店舗識別情報要求手段とを具備し、
前記店舗管理装置は、前記管理対象である各店舗の店舗識別情報にそれぞれ対応してその店舗の設置位置に関する情報を記憶する店舗情報記憶部と、前記携帯型通信端末から前記現在位置情報を含む店舗識別情報要求を受信する毎に前記店舗情報記憶部を検索して、当該店舗識別情報要求に含まれる現在位置情報の位置近傍に設置されている店舗の店舗識別情報を検出する店舗識別情報検出手段と、この店舗識別情報検出手段により検出された店舗識別情報を店舗識別情報要求元の前記携帯型通信端末に送信する店舗識別情報送信手段とを具備し、
前記携帯型通信端末の店舗識別情報取得手段は、前記店舗管理装置の前記店舗識別情報送信手段により送信される店舗識別情報を受信して取得することを特徴とする請求項２記載の購買取引支援システム。
【請求項５】
前記店舗管理装置は、前記管理対象である各店舗の店舗識別情報を記憶する店舗情報記憶部と、前記携帯型通信端末から店舗識別情報要求を受信する毎に前記店舗情報記憶部に記憶されている各店舗の店舗識別情報を読み出し、店舗識別情報要求元の前記携帯型通信端末に送信する店舗識別情報送信手段とを具備し、
前記携帯型通信端末は、前記ネットワークを介して前記店舗管理装置に店舗識別情報要求を送信する店舗識別情報要求手段と、この店舗識別情報要求手段による要求に対して前記店舗管理装置から受信した各店舗識別情報のリストを表示するリスト表示手段と、このリスト表示手段により表示されたリストの中からいずれか１つの店舗識別情報を選択する店舗選択手段とを具備し、
前記携帯型通信端末の店舗識別情報取得手段は、前記店舗選択手段により選択された店舗識別情報を取得することを特徴とする請求項２記載の購買取引支援システム。
【請求項６】
管理対象である複数の店舗にそれぞれ設けられるとともに前記店舗管理装置と前記ネットワークを通じて接続され、前記携帯型通信端末を用いた購買取引の決済を処理する複数の決済端末をさらに具備し、
前記携帯型通信端末は、予め設定された購入者識別情報を記憶する購入者識別情報記憶部と、前記商品詳細情報表示手段により詳細情報が表示された商品を購入するか否かの選択入力を受付ける商品購入受付手段と、この商品購入受付手段により商品購入の選択入力を受付けたことに応じて、この購入商品の価格を含む購入商品情報を前記購入者識別情報記憶部に記憶されている購入者識別情報及び前記店舗識別情報記憶部に記憶されている店舗識別情報とともに前記ネットワークを介して前記店舗管理装置に送信して購入処理を要求する購入処理要求手段とをさらに具備し、
前記店舗管理装置は、買物情報記憶部と、前記携帯型通信端末から前記購入商品情報，購入者識別情報及び店舗識別情報を含む購入処理要求を受信する毎にその購入処理要求に含まれる購入商品情報を同購入処理要求に含まれる購入者識別情報及び店舗識別情報と関連付けて前記買物情報記憶部に格納する買物情報格納手段と、前記決済端末から前記購入者識別情報及び店舗識別情報を含む購入商品情報要求を受信する毎に前記買物情報記憶部を検索して、当該購入商品情報要求に含まれる購入者識別情報及び店舗識別情報と関連付けられた購入商品情報を一括して取得する購入商品情報取得手段と、この購入商品情報取得手段により取得した購入商品情報を購入商品情報要求元の前記決済端末に前記ネットワークを介して送信する購入商品情報送信手段とをさらに具備し、
前記決済端末は、予め設定された店舗識別情報を記憶する店舗識別情報記憶部と、前記携帯型通信端末から前記購入者識別情報を取り込む購入者識別情報取込手段と、この購入者識別情報取込手段により購入者識別情報を取り込むと、その購入者識別情報を前記店舗識別情報記憶部に記憶されている店舗識別情報とともに前記ネットワークを介して前記店舗管理装置に送信して購入商品情報を要求する購入商品情報要求手段と、この購入商品情報要求手段による購入商品情報要求に対して前記店舗管理装置から購入商品情報を受信するとその購入商品情報に基づいて購買取引を決済処理する決済処理手段とを具備したことを特徴とする請求項１または２記載の購買取引支援システム。
【請求項７】
前記店舗管理装置は、前記買物情報記憶部に記憶された購入商品情報，購入者識別情報及び店舗識別情報を購入者識別情報別に蓄積記憶する購買履歴記憶部と、前記携帯型通信端末から購入者識別情報を含む履歴店舗情報要求を受信する毎に前記購買履歴記憶部を検索して、当該履歴店舗情報要求に含まれる購入者識別情報と関連付けられて記憶された店舗識別情報を全て抽出する履歴店舗情報抽出手段と、この履歴店舗情報抽出手段により抽出された全ての店舗識別情報を履歴店舗情報要求元の前記携帯型通信端末に送信する履歴店舗情報送信手段とを具備し、
前記携帯型通信端末は、前記ネットワークを介して前記店舗管理装置に前記購入者識別情報記憶部に記憶されている購入者識別情報を送信して履歴店舗情報を要求する履歴店舗情報要求手段と、この履歴店舗情報要求手段による要求に対して前記店舗管理装置から受信した各店舗識別情報のリストを表示するリスト表示手段と、このリスト表示手段により表示されたリストの中からいずれか１つの店舗識別情報を選択する店舗選択手段とを具備し、
前記携帯型通信端末の店舗識別情報取得手段は、前記店舗選択手段により選択された店舗識別情報を取得することを特徴とする請求項６記載の購買取引支援システム。
【請求項８】
購入者の購買取引に用いられる複数の携帯型通信端末からネットワークを通じて要求を受けその要求を処理する店舗管理装置と、管理対象の各店舗にそれぞれ設けられるとともに前記店舗管理装置と前記ネットワークを通じて接続され、前記携帯型通信端末を用いた購買取引の決済を処理する複数の決済端末とを備えてなる購買取引支援システムにおいて、
前記店舗管理装置は、前記管理対象の店舗毎にその店舗で販売される商品の価格を含む商品詳細情報を記憶する店舗別商品価格記憶部と、前記携帯型通信端末から前記商品識別情報及び店舗識別情報を含む商品詳細情報要求を受信する毎に前記店舗別商品詳細情報記憶部を検索して、当該商品詳細情報要求に含まれる商品識別情報で特定される商品の同商品詳細情報要求に含まれる店舗識別情報で特定される店舗での価格を含む商品詳細情報を取得する店舗別詳細情報取得手段と、この店舗別詳細情報取得手段により取得した商品詳細情報を前記商品詳細情報要求元の携帯型通信端末に返信する商品詳細情報返信手段と、前記携帯型通信端末から購入商品情報，購入者識別情報及び店舗識別情報を含む購入処理要求を受信する毎にその購入処理要求に含まれる購入商品情報を同購入処理要求に含まれる購入者識別情報及び店舗識別情報と関連付けて記憶する買物情報記憶部と、前記決済端末から前記購入者識別情報及び店舗識別情報を含む購入商品情報要求を受信する毎に前記買物情報記憶部を検索して、当該購入商品情報要求に含まれる購入者識別情報及び店舗識別情報と関連付けられた購入商品情報を一括して取得する購入商品情報取得手段と、この購入商品情報取得手段により取得した購入商品情報を購入商品情報要求元の前記決済端末に前記ネットワークを介して送信する購入商品情報送信手段とを具備し、
前記決済端末は、予め設定された店舗識別情報を記憶する店舗識別情報記憶部と、前記携帯型通信端末から前記購入者識別情報を取り込む購入者識別情報取込手段と、この購入者識別情報取込手段により購入者識別情報を取り込むと、その購入者識別情報を前記店舗識別情報記憶部に記憶されている店舗識別情報とともに前記ネットワークを介して前記店舗管理装置に送信して購入商品情報を要求する購入商品情報要求手段と、この購入商品情報要求手段による購入商品情報要求に対して前記店舗管理装置から購入商品情報を受信するとその購入商品情報に基づいて購買取引を決済処理する決済処理手段とを具備したことを特徴とする購買取引支援システム。
【請求項９】
前記管理対象の各店舗にそれぞれ設けられ、前記携帯型通信端末と通信を行う通信手段と、予め設定された店舗識別情報を記憶する記憶部と、この記憶部に記憶された店舗識別情報を前記通信手段を介して前記携帯型通信端末に送信する店舗識別情報送信手段とを具備した複数の店舗端末をさらに備えたことを特徴とする請求項８記載の購買取引支援システム。
【請求項１０】
前記店舗管理装置は、前記管理対象である各店舗の店舗識別情報にそれぞれ対応してその店舗の設置位置に関する情報を記憶する店舗情報記憶部と、前記携帯型通信端末から現在位置情報を含む店舗識別情報要求を受信する毎に前記店舗情報記憶部を検索して、当該店舗識別情報要求に含まれる現在位置情報の位置近傍に設置されている店舗の店舗識別情報を検出する店舗識別情報検出手段と、この店舗識別情報検出手段により検出された店舗識別情報を店舗識別情報要求元の前記携帯型通信端末に送信する店舗識別情報送信手段とをさらに具備したことを特徴とする請求項８記載の購買取引支援システム。
【請求項１１】
購入者の購買取引に用いられる複数の携帯型通信端末からネットワークを通じて要求を受けその要求を処理する店舗管理装置において、
管理対象である店舗毎にその店舗で販売される商品の価格を含む商品詳細情報を記憶する店舗別商品価格記憶部と、前記携帯型通信端末から前記商品識別情報及び店舗識別情報を含む商品詳細情報要求を受信する毎に前記店舗別商品詳細情報記憶部を検索して、当該商品詳細情報要求に含まれる商品識別情報で特定される商品の同商品詳細情報要求に含まれる店舗識別情報で特定される店舗での価格を含む商品詳細情報を取得する店舗別詳細情報取得手段と、この店舗別詳細情報取得手段により取得した商品詳細情報を前記商品詳細情報要求元の携帯型通信端末に返信する商品詳細情報返信手段とを具備したことを特徴とする店舗管理装置。
【請求項１２】
購入者の購買取引に用いられる複数の携帯型通信端末、及び、管理対象である複数の店舗にそれぞれ設けられ、前記携帯型通信端末を用いた購買取引の決済を処理する複数の決済端末から、ネットワークを通じて要求を受け、その要求を処理する店舗管理装置において、
前記管理対象の店舗毎にその店舗で販売される商品の価格を含む商品詳細情報を記憶する店舗別商品価格記憶部と、前記携帯型通信端末から前記商品識別情報及び店舗識別情報を含む商品詳細情報要求を受信する毎に前記店舗別商品詳細情報記憶部を検索して、当該商品詳細情報要求に含まれる商品識別情報で特定される商品の同商品詳細情報要求に含まれる店舗識別情報で特定される店舗での価格を含む商品詳細情報を取得する店舗別詳細情報取得手段と、この店舗別詳細情報取得手段により取得した商品詳細情報を前記商品詳細情報要求元の携帯型通信端末に返信する商品詳細情報返信手段と、前記携帯型通信端末から購入商品情報，購入者識別情報及び店舗識別情報を含む購入処理要求を受信する毎にその購入処理要求に含まれる購入商品情報を同購入処理要求に含まれる購入者識別情報及び店舗識別情報と関連付けて記憶する買物情報記憶部と、前記決済端末から前記購入者識別情報及び店舗識別情報を含む購入商品情報要求を受信する毎に前記買物情報記憶部を検索して、当該購入商品情報要求に含まれる購入者識別情報及び店舗識別情報と関連付けられた購入商品情報を一括して取得する購入商品情報取得手段と、この購入商品情報取得手段により取得した購入商品情報を購入商品情報要求元の前記決済端末に前記ネットワークを介して送信する購入商品情報送信手段とを具備したことを特徴とする店舗管理装置。
【請求項１３】
前記管理対象である各店舗の店舗識別情報にそれぞれ対応してその店舗の設置位置に関する情報を記憶する店舗情報記憶部と、前記携帯型通信端末から現在位置情報を含む店舗識別情報要求を受信する毎に前記店舗情報記憶部を検索して、当該店舗識別情報要求に含まれる現在位置情報の位置近傍に設置されている店舗の店舗識別情報を検出する店舗識別情報検出手段と、この店舗識別情報検出手段により検出された店舗識別情報を店舗識別情報要求元の前記携帯型通信端末に送信する店舗識別情報送信手段とをさらに具備したことを特徴とする請求項１１または１２記載の店舗管理装置。
【請求項１４】
前記管理対象である各店舗の店舗識別情報を記憶する店舗情報記憶部と、前記携帯型通信端末から店舗識別情報要求を受信する毎に前記店舗情報記憶部に記憶されている各店舗の店舗識別情報を読み出し、店舗識別情報要求元の前記携帯型通信端末に送信する店舗識別情報送信手段とをさらに具備したことを特徴とする請求項１１または１２記載の店舗管理装置。
【請求項１５】
前記買物情報記憶部に記憶された購入商品情報，購入者識別情報及び店舗識別情報を購入者識別情報別に蓄積記憶する購買履歴記憶部と、前記携帯型通信端末から購入者識別情報を含む履歴店舗情報要求を受信する毎に前記購買履歴記憶部を検索して、当該履歴店舗情報要求に含まれる購入者識別情報と関連付けられて記憶された店舗識別情報を全て抽出する履歴店舗情報抽出手段と、この履歴店舗情報抽出手段により抽出された全ての店舗識別情報を履歴店舗情報要求元の前記携帯型通信端末に送信する履歴店舗情報送信手段とをさらに具備したことを特徴とする請求項１２記載の店舗管理装置。
【請求項１６】
ネットワークを通じてサーバと通信が可能であるとともに、携帯型通信端末を用いた購買取引の決済を処理する決済端末において、
予め設定された店舗識別情報を記憶する店舗識別情報記憶部と、
前記携帯型通信端末から購入者識別情報を取り込む購入者識別情報取込手段と、
この購入者識別情報取込手段により購入者識別情報を取り込むと、その購入者識別情報を前記店舗識別情報記憶部に記憶されている店舗識別情報とともに前記ネットワークを介して前記サーバに送信して購入商品情報を要求する購入商品情報要求手段と、
この購入商品情報要求手段による購入商品情報要求に対して前記サーバから購入商品情報を受信するとその購入商品情報に基づいて購買取引を決済処理する決済処理手段と、
を具備したことを特徴とする決済端末。
【請求項１７】
ネットワークを通じてサーバと通信が可能な携帯型通信端末において、
購買取引対象店舗の店舗識別情報を取得する店舗識別情報取得手段と、この店舗識別情報取得手段により得られた店舗識別情報を記憶する店舗識別情報記憶部と、購入対象商品を特定する商品識別情報を入力するための入力部と、この入力部を介して入力される商品識別情報を前記店舗識別情報記憶部に記憶されている店舗識別情報とともに前記ネットワークを介して前記サーバに送信して商品詳細情報を要求する商品詳細情報要求手段と、この商品詳細情報要求手段による要求に対して前記サーバから返信された商品詳細情報を表示する商品詳細情報表示手段とを具備したことを特徴とする携帯型通信端末。
【請求項１８】
予め設定された購入者識別情報を記憶する購入者識別情報記憶部と、前記商品詳細情報表示手段により詳細情報が表示された商品を購入するか否かの選択入力を受付ける商品購入受付手段と、この商品購入受付手段により商品購入の選択入力を受付けたことに応じて、この購入商品の価格を含む購入商品情報を前記購入者識別情報記憶部に記憶されている購入者識別情報及び前記店舗識別情報記憶部に記憶されている店舗識別情報とともに前記ネットワークを介して前記サーバに送信して購入処理を要求する購入処理要求手段とをさらに具備したことを特徴とする請求項１７記載の携帯型通信端末。
【請求項１９】
端末と無線通信を行う無線通信部をさらに備え、前記店舗識別情報取得手段は、前記端末から発信される店舗識別情報を前記無線通信部で受信して取得することを特徴とする請求項１７または１８記載の携帯型通信端末。
【請求項２０】
前記無線通信部を介して決済端末に前記購入者識別情報記憶部に記憶されている購入者識別情報を送信する購入者識別情報送信手段をさらに具備したことを特徴とする請求項１９記載の携帯型通信端末。
【請求項２１】
ＧＰＳ衛星から送信された電波を受信し、この受信電波を基に現在位置を算出する現在位置算出手段と、この現在位置算出手段により算出された現在位置情報を前記ネットワークを介して前記サーバに送信して店舗識別情報を要求する店舗識別情報要求手段とをさらに具備し、
前記店舗識別情報取得手段は、前記店舗識別情報の要求に対して前記サーバから返信される店舗識別情報を受信して取得することを特徴とする請求項１７または１８記載の携帯型通信端末。
【請求項２２】
ネットワークを通じてサーバと通信が可能な携帯型通信端末を購買取引用機器として機能させるプログラムであって、
前記携帯型通信端末に、購買取引対象店舗の店舗識別情報を取得する機能と、取得した店舗識別情報をメモリに記憶させる機能と、入力部から購入対象商品を特定する商品識別情報の入力を受付ける機能と、前記入力部を介して入力された商品識別情報を前記メモリに記憶されている店舗識別情報とともに前記ネットワークを介して前記サーバに送信して商品詳細情報を要求する機能と、前記サーバから返信された商品詳細情報を表示部に表示させる機能とを実現させることを特徴とするプログラム。
【請求項２３】
前記携帯型通信端末に、購入者識別情報を前記メモリに記憶させる機能と、前記表示部に詳細情報が表示された商品を購入するか否かの選択入力を受付ける機能と、商品購入の選択入力を受付けたことに応じて、この購入商品の価格を含む購入商品情報を前記メモリに記憶されている購入者識別情報及び店舗識別情報とともに前記ネットワークを介して前記サーバに送信して購入処理を要求する機能とをさらに実現させるための請求項２２記載のプログラム。
【発明の詳細な説明】
【技術分野】
【０００１】
本発明は、携帯電話，ＰＨＳ（Personal Handy-phone System），携帯情報端末等の携帯型通信端末を用いた実売店舗での購買取引を支援する購買取引支援システム及びこのシステムで用いられる決済端末，店舗管理装置並びに携帯型無線端末に関する。
【背景技術】
【０００２】
ワイヤレス電話を使った購買取引を可能にする電子ショッピングシステムは既に知られている。この既知の技術は、購買取引プログラムがダウンロードされたワイヤレス電話を用いる。購買取引プログラムは、販売者のサーバからワイヤレス電話内のプログラムローダを通してダウンロードされる。ワイヤレス電話を所持する購買者は、購買取引プログラムを起動することにより商品を購入することができ、それに対する支払いもできるようになる。ワイヤレス電話にバーコードリーダが取り付けられていた場合は、バーコードリーダが購入取引プログラムによって制御され、購入する商品を容易に選択できるようになる
（例えば、特許文献１参照）。
【特許文献１】特開２０００−１８４０８７号公報
【発明の開示】
【発明が解決しようとする課題】
【０００３】
ところで、従来のワイヤレス電話を使った電子ショッピングシステムでは、ワイヤレス電話で商品が選択された際に、その商品の説明や価格等の商品情報がサーバからワイヤレス電話に送信され、購入者が確認できる仕組みとなっている。しかしながら、このシステムは１店舗のみを対象としている。このため、サーバからワイヤレス電話に送信される商品情報も、１商品に対して１種類の情報しか送信できない。
【０００４】
携帯電話，ＰＨＳ，携帯情報端末等の携帯型通信端末を用いた実売店舗での購買取引を支援する購買取引支援システムを構築する場合、複数の店舗で共通に利用できることが望ましい。しかし、店舗が異なると、同じ商品でも価格が異なる。このため、購入者が実際に買物を行っている店舗の情報を購入者に提供できなければ意味がなく、そのためには、店舗を特定する必要がある。
【０００５】
本発明はこのような事情に基づいてなされたもので、その目的とするところは、購入者が実際に買物を行っている店舗の商品情報を、当該購入者が携帯している携帯型通信端末で閲覧することができ、正確な購買取引を支援することができる購買取引支援システム及びこのシステムで用いられる店舗管理装置並びに携帯型無線端末を提供しようとするものである。
【課題を解決するための手段】
【０００６】
本発明は、各購入者がそれぞれ携帯可能で、その購入者の購買取引に用いられる複数の携帯型通信端末、例えば携帯電話，ＰＨＳ，携帯情報端末等と、ネットワークを通じて携帯型通信端末から要求を受けその要求を処理する店舗管理装置とを備えてなる購買取引支援システムにある。  
携帯型通信端末は、購買取引対象店舗の店舗識別情報を記憶する店舗識別情報記憶部と、購入対象商品を特定する商品識別情報を入力するための入力部と、この入力部を介して入力される商品識別情報を店舗識別情報記憶部に記憶されている店舗識別情報とともにネットワークを介して店舗管理装置に送信して商品詳細情報を要求する商品詳細情報要求手段と、この商品詳細情報要求手段による要求に対して店舗管理装置から返信された商品詳細情報を表示する商品詳細情報表示手段とを具備している。  
店舗管理装置は、管理対象である複数の店舗毎にその店舗で販売される商品の価格を含む商品詳細情報を記憶する店舗別商品詳細情報記憶部と、携帯型通信端末から商品識別情報及び店舗識別情報を含む商品詳細情報要求を受信する毎に店舗別商品詳細情報記憶部を検索して、当該商品詳細情報要求に含まれる商品識別情報で特定される商品の同商品詳細情報要求に含まれる店舗識別情報で特定される店舗での価格を含む商品詳細情報を取得する店舗別詳細情報取得手段と、この店舗別詳細情報取得手段により取得した商品詳細情報を前記商品詳細情報要求元の携帯型通信端末に返信する商品詳細情報返信手段とを具備している。
【発明の効果】
【０００７】
かかる手段を講じた本発明によれば、購入者が実際に買物を行っている店舗の商品情報を、当該購入者が携帯している携帯型通信端末で閲覧することができ、正確な購買取引を支援することができる購買取引支援システム及びこのシステムで用いられる店舗管理装置並びに携帯型無線端末を提供できる。
【発明を実施するための最良の形態】
【０００８】
以下、本発明を実施するための最良の形態について、図面を用いて説明する。  
なお、この実施の形態は、実売店舗において商品を購入する購入者（消費者，客）が携帯する携帯型通信端末を、ディジタル方式の携帯電話とした場合である。
【０００９】
図１は、本実施の形態における購買取引支援システムの概要図である。本システムは、購買取引支援サービスを提供するサービスセンタ等に設けられている店舗管理サーバ１と、同サービスに加盟する各実売店舗にそれぞれ構築されている店舗システム２Ａ，２Ｂと、同サービスの会員となった購入者が携帯する携帯電話３とから構成されている。店舗管理サーバ１は、インターネット，ＩＳＤＮ（Integrated Services Digital Network）等の広域のネットワーク４上に設けられている。
【００１０】
店舗システム２Ａ，２Ｂは、それぞれ決済端末５と店舗端末６とから構成されている。決済端末５と店舗端末６とは、店舗内ＬＡＮ（Local Area Network）７で接続されている。店舗内ＬＡＮ７にはルータ８が接続されており、決済端末５と店舗端末６は、ルータ８を介してネットワーク４上の店舗管理サーバ１とデータの送受信を行えるようになっている。また、携帯電話３も、その携帯電話３に対応した基地局９の交信領域内であれば、当該基地局９を介してネットワーク４上の店舗管理サーバ１とデータの送受信を行えるようになっている。なお、店舗システム２Ａ，２Ｂを構成する決済端末５と店舗端末６の台数は、特に制限されるものではない。
【００１１】
店舗管理サーバ１は、店舗データベース１１、商品データベース１２、会員データベース１３、履歴データベース１４及び買物カゴデータベース１５を管理するデータベースサーバとしての機能を有する。これらのデータベース１１〜１５は、店舗管理サーバ１に内蔵されていてもよいし、外付けされていてもよい。
【００１２】
店舗データベース１１には、図２に示すように、店舗コード、店舗名、都道府県名、市区町村名、緯度／経度情報及び商品ＤＢＮｏの各項目からなる店舗データレコードが、購買取引支援サービス加盟店の数だけ書き換え自在に記憶される。
【００１３】
店舗コードは、各加盟店を識別するために加盟店毎に予め設定された一意のコードである。都道府県名及び市区町村名は、対応する店舗コードで特定される加盟店の所在地である。緯度／経度情報は、対応する店舗コードで特定される加盟店が位置する場所の代表的な緯度及び経度である。商品ＤＢＮｏは、対応する店舗コードで特定される加盟店で販売される商品に関する情報が格納された商品データテーブルＴ１の一意の番号である。ここに、店舗データベース１１は、店舗情報記憶部として機能する。
【００１４】
商品データベース１２には、図３に示すように、一意の商品ＤＢＮｏがそれぞれ付与された加盟店別の商品データテーブルＴ１が加盟店の数だけ書き換え自在に記憶される。各商品データテーブルＴ１には、それぞれその店舗で販売される商品の商品コードに対応して、商品名，単価，販促情報，商品画像等の各種商品情報が記憶される。なお、商品コードは、各商品を識別するために商品毎に予め設定された一意のコードであり、ＰＬＵコード，単品コード等とも称される。単価は、対応する商品コードで特定される商品１品当たりの当該店舗での販売価格である。ここに、商品データベース１２は、店舗別商品詳細情報記憶部として機能する。
【００１５】
会員データベース１３には、図４に示すように、会員コード、会員名、個人情報（住所，電話番号等）、決済情報、履歴ＤＢＮｏ及びカゴＤＢＮｏの各項目からなる会員データレコードが、購買取引支援サービス会員の数だけ書き換え自在に記憶される。
【００１６】
会員コードは、各会員を識別するために会員毎に予め設定された一意のコードである。決済情報は、対応する会員コードで特定される会員が決済で使用するクレジットカードの会社名やカード番号等である。履歴ＤＢＮｏは、対応する会員コードで特定される会員の各加盟店での購買取引履歴情報が格納された履歴データテーブルＴ２の一意の番号である。カゴＤＢＮｏは、対応する会員コードで特定される会員がいずれかの加盟店で実際に買物をしているときに購買取引情報が格納される買物カゴテーブルＴ３の一意の番号である。
【００１７】
履歴データベース１４には、図５に示すように、一意の履歴ＤＢＮｏがそれぞれ付与された会員別の履歴データテーブルＴ２が書き換え自在に記憶される。各履歴データテーブルＴ２には、それぞれ購買取引を行った買物日の順番に、その取引相手である加盟店の店舗コード及び店舗名と購入商品情報（商品コード，購入数，単価等）とが記憶される。なお、購買取引が一度もない会員については、履歴データテーブルＴ２は形成されていない。ここに、履歴データベース１４は、購買履歴記憶部として機能する。
【００１８】
買物カゴデータベース１５には、図６に示すように、一意のカゴＤＢＮｏがそれぞれ付与された買物カゴテーブルＴ３が書き換え自在に記憶される。各買物カゴテーブルＴ３には、店舗コード、店舗名及び買物日の購買取引識別情報と、購入商品毎の買物時刻，商品コード，商品名，単価，数量及び金額の購入商品情報と、全購入商品の合計数量及び合計金額の合計情報とが記憶される。ここに、買物カゴデータベース１５は、買物情報記憶部として機能する。
【００１９】
図７は、携帯電話３の要部構成を示すブロック図である。携帯電話３は、データ記憶部２１、電話回路部２２、表示部２３、キー入力部２４、撮像部２５、プログラム記憶部２６、コードデコード部２７、ネットワーク接続部２８、無線通信部２９、ＧＰＳ（Global Positioning System）部３０、及びこれらを制御する制御部３１で構成されている。
【００２０】
データ記憶部２１は、各種のデータを電源オフ時も安定に記憶保持するための領域であり、特に、当該携帯電話３を用いて購買取引支援サービスを受ける会員（購入者）に対して一意に設定された購入者識別情報としての会員コードを記憶する購入者識別情報記憶部としてのエリア３２と、電子決済に用いられる電子マネーの残高を記憶するエリア３３と、購買取引を行う店舗を特定するための店舗識別情報を一時的に記憶するための店舗識別情報記憶部としての３４とが形成されている。
【００２１】
電話回路部２２、表示部２３、キー入力部２４及び撮像部２５は、既存のカメラ付携帯電話に実装されている周知のデバイスである。
【００２２】
プログラム記憶部２６は、制御部３１で実行される各種のアプリケーションプログラムが保存される領域で、特に、携帯電話３を購買取引用機器として機能させるための購買取引端末プログラムＰ１と、電子マネーを用いた電子決済を制御するための電子決済対応プログラムＰ２とが保存されている。なお、購買取引端末プログラムＰ１は、当該携帯電話３の所有者が購買取引支援サービスの会員となったことを条件に、店舗管理サーバ１からネットワーク４経由でダウンロードされる。なお、購買取引端末プログラムＰ１を携帯電話３にダウンロードする方法はこれに限定されるものではなく、例えばＵＳＢインターフェイスを備えた携帯電話であれば、パソコン等からＵＳＢケーブルを介してダウンロードしてもよい。
【００２３】
コードデコード部２７は、撮像部２５で撮像したバーコードや二次元データコードをデコードする。ネットワーク接続部２８は、基地局９を介してネットワーク４に接続する。無線通信部２９は、赤外線通信，ＲＦＩＤ（Radio Frequency Identification）等の通信方式を用いて近距離の無線通信を行う。ＧＰＳ部３０は、ＧＰＳ衛星から送信された電波を受信し、この受信電波を基に現在地（緯度／経度）を算出する。
【００２４】
図８は、店舗端末６の要部構成を示すブロック図である。店舗端末６は、記憶部４１、表示部４２、キー入力部４３、ネットワーク接続部４４、無線通信部４５、及びこれらを制御する制御部４６で構成されている。
【００２５】
記憶部４１は、各種のデータを電源オフ時も安定に記憶保持するための領域であり、特に、当該店舗端末６が設けられている加盟店に対して一意に設定された店舗識別情報としての店舗コード及び店舗名の記憶エリア４７が形成されている。
【００２６】
表示部４２及びキー入力部４３は、コンビニエンスストアなどに設置された既存の店舗端末に実装されているデバイスである。ネットワーク接続部４４は、ルータ８を介してネットワーク４に接続する。無線通信部４５は、携帯電話３が有する無線通信部２９との間で近距離無線によりデータの送受信を行う。
【００２７】
制御部４６は、無線通信部４５を介して近距離無線通信により携帯電話３から店舗情報の要求コマンドを受信すると、記憶エリア４７に記憶されている店舗コード及び店舗名の店舗情報を近距離無線通信により携帯電話３に発信するようにプログラムされている（店舗識別情報送信手段）。
【００２８】
図９は、決済端末５の要部構成を示すブロック図である。決済端末５はデータ記憶部５１、表示部５２、キー入力部５３、スキャナ部５４、プリンタ部５５、プログラム記憶部５６、時計部５７、ネットワーク接続部５８、無線通信部５９、及びこれらを制御する制御部６０で構成されている。
【００２９】
データ記憶部５１は、各種のデータを電源オフ時も安定に記憶保持するための領域であり、特に、当該決済端末５が設けられている加盟店に対して一意に設定された店舗識別情報としての店舗コードの記憶エリア（店舗識別情報記憶部）６１が形成されている。
【００３０】
表示部５２、キー入力部５３、スキャナ部５４、プリンタ部５５は、コンビニエンスストアなどに設置された既存のＰＯＳ端末に実装されているデバイスである。
【００３１】
プログラム記憶部５６は、制御部６０で実行される各種のアプリケーションプログラムが保存される領域で、特に、携帯電話３を用いた購買取引の決済を処理する購買取引決済プログラムＰ３が保存されている。
【００３２】
時計部５７は、現在の日付及び時刻を計時する。ネットワーク接続部５８は、ルータ８を介してネットワーク４に接続する。無線通信部５９は、携帯電話３が有する無線通信部２９との間で近距離無線によりデータの送受信を行う。
【００３３】
図１０は、店舗管理サーバ１の要部構成を示すブロック図である。店舗管理サーバ１はデータ記憶部７１、表示部７２、キー入力部７３、データベース入出力部７４、プログラム記憶部７５、時計部７６、ネットワーク接続部７７、及びこれらを制御する制御部７８で構成されている。
【００３４】
データ記憶部７１は、各種のデータを電源オフ時も安定に記憶保持するための領域である。表示部７２及びキー入力部７３は、既存のサーバ用コンピュータに実装されているデバイスである。
【００３５】
データベース入出力部７４は、前記店舗データベース１１、商品データベース１２、会員データベース１３、履歴データベース１４及び買物カゴデータベース１５に対してデータの書込みや読出しを行う。
【００３６】
プログラム記憶部７５は、制御部７８で実行される各種のアプリケーションプログラムが保存される領域で、特に、携帯電話３を用いた購買取引とその決済を支援する購買取引サービスプログラムＰ４が保存されている。
【００３７】
時計部７６は、現在の日付及び時刻を計時する。ネットワーク接続部７７は、ネットワーク４に接続する。
【００３８】
しかして、携帯電話３は、キー入力部２４の操作入力により購買取引開始が選択されると、制御部３１が購買取引端末プログラムＰ１を起動する。そして、この購買取引端末プログラムＰ１に従い、制御部３１は、図１１乃至図１９の流れ図に示す手順で各部を制御する。
【００３９】
また、決済端末５は、キー入力部５３の操作入力により携帯電話３を用いた購買取引の決済実行が宣言されると、制御部６０が購買取引決済プログラムＰ３を起動する。そして、この購買取引決済プログラムＰ３に従い、制御部６０は、図２０の流れ図に示す手順で各部を制御する。
【００４０】
一方、店舗管理サーバ１は、購買取引サービスプログラムＰ４を常駐している。そして、購買取引端末プログラムＰ１が動作中の携帯電話３及び購買取引決済プログラムＰ３が動作中の決済端末５から、ネットワーク４を通じて与えられる各種の要求に対し、図２１〜図３２の流れ図に示す手順でその要求に応じた処理を実行する。
【００４１】
図３３〜図３５は、携帯電話３の表示部２３に表示される主要な画面の一例である。  
以下、これらの流れ図及び画面例を用いて、本実施の形態の購買取引支援システム全体の流れについて説明する。
【００４２】
携帯電話３の制御部３１は、購買取引端末プログラムＰ１の起動により、図１１の流れ図に示す処理を開始する。先ず、ＳＴ（ステップ）１として、購買取引を行う実売店舗を特定するための店舗情報取得処理を実行する。
【００４３】
この店舗情報取得処理は、図１２〜図１５の流れ図によって詳細に示される。すなわち制御部３１は、ＳＴ２１としてデータ記憶部２１に店舗情報エリア３４に店舗コードと店舗名からなる店舗情報が記憶されているか否かを判断する。店舗情報が記憶されていた場合には（ＳＴ２１のＹＥＳ）、制御部３１は、店舗情報取得処理をスルーして、ＳＴ２の処理に進む。
【００４４】
これに対し、店舗情報が記憶されていない場合には（ＳＴ２１のＮＯ）、制御部３１は、ＳＴ２２として表示部２３に店舗情報取得画面Ｇ１を表示させる。店舗情報取得画面Ｇ１の一例を図３３（ａ）に示す。図示するように店舗情報取得画面Ｇ１には、「更新」ボタンＢ１、「過去履歴」ボタンＢ２、「店舗リストから選択」ボタンＢ３及び「位置情報から取得」ボタンＢ４が表示されている。
【００４５】
そこで制御部３１は、ＳＴ２３〜ＳＴ２７としてキー入力部２４の操作によっていずれかのボタンが選択入力されるか、「終了」の指示入力がなされるかを待機する。ここで、「終了」の指示入力がなされた場合には（ＳＴ２３のＹＥＳ）、制御部３１は、購買取引端末プログラムＰ１を終了させる。
【００４６】
「更新」ボタンＢ１が選択入力された場合には（ＳＴ２７のＹＥＳ）、制御部３１は、ＳＴ２８として無線通信部２９を介して店舗端末６と近距離無線通信を行い、店舗情報の要求コマンドを送信する。このとき、携帯電話３の無線通信部２９が店舗端末６の無線通信部４５にかざされていて携帯電話３と店舗端末６との近距離無線通信が確立していた場合には、店舗端末６からその記憶エリア４７に記憶されている店舗コード及び店舗名の店舗情報が発信されるので、これを受信する。
【００４７】
店舗端末６から店舗情報を受信できた場合には（ＳＴ２９のＹＥＳ）、制御部３１は、ＳＴ３０としてその店舗情報を店舗情報エリア３４に格納する（店舗識別情報取得手段）。かくして店舗情報取得処理を抜け、ＳＴ２の処理に進む。  
なお、店舗端末６との近距離無線通信が確立されておらずエラーとなって店舗情報を取得できない場合には（ＳＴ２９のＮＯ）、次のボタンが選択入力されるのを待機する。
【００４８】
店舗情報取得画面Ｇ１において、「過去履歴」ボタンＢ２が選択入力された場合には（ＳＴ２４のＹＥＳ）、制御部３１は、図１３の流れ図に示す処理を実行する。先ず、ＳＴ３１としてネットワーク接続部２８を動作させて店舗管理サーバ１との回線接続を図る。その結果、回線が接続されたならば（ＳＴ３２のＹＥＳ）、制御部３１は、ＳＴ３３として会員コードエリア３２に記憶されている会員コードを検索条件として含む履歴店舗リスト要求コマンドを生成し、このコマンドをネットワーク４を通じて店舗管理サーバ１に送信する（履歴店舗情報要求手段）。
【００４９】
履歴店舗リスト要求コマンドを受信した店舗管理サーバ１の制御部７８は、図２１の流れ図に示す処理を実行する。先ず、ＳＴ１３１として要求コマンドに含まれる会員コードを検索キーデータとして会員データベース１３を検索する。そして、ＳＴ１３２として検索キーデータである会員コードがセットされた会員データレコードから履歴ＤＢＮｏを取得する。
【００５０】
次に、制御部７８は、ＳＴ１３３として履歴ＤＢＮｏが“０”であるか否かを判断する。ここで、履歴ＤＢＮｏが“０”でない場合には、制御部７８は、ＳＴ１３４としてその履歴ＤＢＮｏを検索キーデータとして履歴データベース１４を検索する。そして、ＳＴ１３５として検索キーデータである履歴ＤＢＮｏがセットされた履歴データテーブルＴ２から店舗コード及び店舗名の店舗情報を全て取得する（履歴店舗情報抽出手段）。次いで、ＳＴ１３６として取得した店舗コード及び店舗名から重複する分を除くことにより履歴店舗リストを編集する。そして、ＳＴ１３７としてこの履歴店舗リストのデータを、ネットワーク４を介して要求コマンド送信元の携帯電話３に送信する（履歴店舗情報送信手段）。
【００５１】
なお、履歴ＤＢＮｏが“０”であった場合には（ＳＴ１３３のＹＥＳ）、当該会員コードの会員に対して購買取引の履歴データが未だ存在しないので、制御部７８は、ＳＴ１３８として履歴なし応答のコマンドを、ネットワーク４を介して要求コマンド送信元の携帯電話３に送信する。
【００５２】
そこで、携帯電話３の制御部３１は、店舗管理サーバ１に履歴店舗リストを要求した後、ＳＴ３４としてその応答を待機する。そして、ネットワーク４を介して店舗管理サーバ１から履歴店舗リストの応答を受信したならば、制御部３１は、ＳＴ３５としてこの履歴店舗リストのデータをデータ記憶部２１で一時記憶する。また、ＳＴ３６としてこの履歴店舗リストのデータに基づいて表示部２３に履歴店舗リスト画面Ｇ２を表示させる（リスト表示手段）。
【００５３】
履歴店舗リスト画面Ｇ２の一例を図３３（ｂ）に示す。図示するように履歴店舗リスト画面Ｇ２には、店舗名のリストＬ１と、「戻る」ボタンＢ５とが表示されている。因みに、リストＬ１に表示されている店舗名は、当該携帯電話３のユーザが過去に購買取引サービスを受けた店舗を示す。
【００５４】
制御部３１は、ＳＴ３７としてキー入力部２４の操作入力により、リストＬ１の中のいずれか１つの店舗名が選択されたことを検知した場合には（店舗選択手段）、ＳＴ３８としてその選択された店舗名とそれに対応する店舗コードの店舗情報を店舗情報エリア３４に格納する（店舗識別情報取得手段）。しかる後、ＳＴ３９としてデータ記憶部２１に一時的に記憶した履歴店舗リストのデータをクリアする。かくして、店舗情報取得処理を抜け、ＳＴ２の処理に進む。この際、店舗管理サーバ１との回線は接続されたままとなる。
【００５５】
なお、店舗管理サーバ１に履歴店舗リストを要求したがその応答を受信できなかった場合（ＳＴ３４のＮＯ）、及び、履歴店舗リスト画面Ｇ２のリストＬ１から店舗名が選択されることなく「戻る」ボタンＢ５が操作入力された場合（ＳＴ３７のＮＯ）には、制御部３１は、ＳＴ４０として店舗管理サーバ１との回線を切断する。しかる後、ＳＴ２２に戻り、表示部２３に店舗情報取得画面Ｇ１を表示させる。なお、店舗管理サーバ１との回線を接続できなかった場合においても（ＳＴ３２のＮＯ）、制御部３１は、ＳＴ２２に戻り、表示部２３に店舗情報取得画面Ｇ１を表示させる。
【００５６】
店舗情報取得画面Ｇ１において、「店舗リストから選択」ボタンＢ３が選択入力された場合には（ＳＴ２５のＹＥＳ）、制御部３１は、図１４の流れ図に示す処理を実行する。先ず、ＳＴ４１としてネットワーク接続部２８を動作させて店舗管理サーバ１との回線接続を図る。その結果、回線が接続されたならば（ＳＴ４２のＹＥＳ）、制御部３１は、ＳＴ４３として提携店舗リスト要求コマンドを生成し、このコマンドを店舗管理サーバ１に送信する（店舗識別情報要求手段）。
【００５７】
提携店舗リスト要求コマンドを受信した店舗管理サーバ１の制御部７８は、図２２の流れ図に示す処理を実行する。先ず、ＳＴ１４１として店舗データベース１１から店舗コード，店舗名，都道府県及び市区町村の店舗情報を全て取得し、これらのデータで提携店舗リストを編集する。そして、ＳＴ１４２としてこの提携店舗リストのデータを、ネットワーク４を介して要求コマンド送信元の携帯電話３に送信する（店舗識別情報送信手段）。
【００５８】
そこで、携帯電話３の制御部３１は、店舗管理サーバ１に提携店舗リストを要求した後、ＳＴ４４としてその応答を待機する。そして、ネットワーク４を介して店舗管理サーバ１から提携店舗リストの応答を受信したならば、制御部３１は、ＳＴ４５としてこの提携店舗リストのデータをデータ記憶部２１で一時的に記憶する。また、ＳＴ４６としてこの履歴店舗リストのデータに基づいて表示部２３に提携店舗リスト画面Ｇ３〜Ｇ５を３段階で表示させる（リスト表示手段）。
【００５９】
提携店舗リスト画面Ｇ３〜Ｇ５の一例を図３３（ｃ）〜（ｅ）に示す。図示するように第１段階の提携店舗リスト画面Ｇ３には、都道府県リストＬ２が表示されている。ここで、キー入力部２４の操作入力によりいずれかの都道府県が選択されると、第２段階の履歴店舗リスト画面Ｇ４に切り替る。この履歴店舗リスト画面Ｇ４には、選択された都道府県の市区町村リストＬ３が表示される。ここで、キー入力部２４の操作入力によりいずれかの市区町村が選択されると、第３段階の提携店舗リスト画面Ｇ５に切り替る。すなわち、その選択された市区町村の店舗名リストＬ４が表示される。なお、いずれの画面Ｇ３〜Ｇ５にも、「戻る」ボタンＢ５が表示されている。そして、画面Ｇ５において「戻る」ボタンＢ５が入力された場合には画面Ｇ４に戻り、画面Ｇ４において「戻る」ボタンＢ５が入力された場合には画面Ｇ３に戻るようになっている。
【００６０】
制御部３１は、ＳＴ４７として第３段階の提携店舗リスト画面Ｇ５に表示された店舗名リストＬ４の中から店舗名が選択されるのを待機する。ここで、キー入力部２４の操作入力により、いずれか１つの店舗名が選択されたならば（店舗選択手段）、制御部３１は、ＳＴ４８としてその選択された店舗名とそれに対応する店舗コードの店舗情報を店舗情報エリア３４に格納する（店舗識別情報取得手段）。しかる後、ＳＴ４９としてデータ記憶部２１に一時的に記憶した提携店舗リストのデータをクリアする。かくして、店舗情報取得処理を抜け、ＳＴ２の処理に進む。この際、店舗管理サーバ１との回線は接続されたままとなる。
【００６１】
なお、店舗管理サーバ１に提携店舗リストを要求したがその応答を受信できなかった場合（ＳＴ４４のＮＯ）、及び、提携店舗リスト画面Ｇ３のリストＬ２から都道府県が選択されることなく「戻る」ボタンＢ５が操作入力された場合（ＳＴ４７のＮＯ）には、制御部３１は、ＳＴ５０として店舗管理サーバ１との回線を切断する。しかる後、ＳＴ２２に戻り、表示部２３に店舗情報取得画面Ｇ１を表示させる。なお、店舗管理サーバ１との回線を接続できなかった場合においても（ＳＴ４２のＮＯ）、制御部３１は、ＳＴ２２に戻り、表示部２３に店舗情報取得画面Ｇ１を表示させる。
【００６２】
店舗情報取得画面Ｇ１において、「位置情報から取得」ボタンＢ４が選択入力された場合には（ＳＴ２６のＹＥＳ）、制御部３１は、図１５の流れ図に示す処理を実行する。先ず、ＳＴ５１としてネットワーク接続部２８を動作させて店舗管理サーバ１との回線接続を図る。その結果、回線が接続されたならば（ＳＴ５２のＹＥＳ）、制御部３１は、ＳＴ５３としてＧＰＳ部３０を動作させて現在地情報（緯度／経度）を取得する（現在位置算出手段）。そして、ＳＴ５４としてこの現在地情報（緯度／経度）を検索条件として含む店舗情報要求コマンドを生成し、このコマンドを店舗管理サーバ１に送信する（店舗識別情報要求手段）。
【００６３】
店舗情報要求コマンドを受信した店舗管理サーバ１の制御部７８は、図２３の流れ図に示す処理を実行する。先ず、ＳＴ１５１として要求コマンドに含まれる現在地情報を検索キーデータとして店舗データベース１１を検索する。そして、検索キーデータである現在地情報の緯度及び経度と、店舗データベース１１に予め設定されている各店舗の緯度及び経度とを順次照合して、緯度及び経度がいずれも所定の誤差範囲内である店舗を検出する（店舗識別情報検出手段）。そして、該当する店舗を検出した場合には（ＳＴ１５２のＹＥＳ）、制御部７８は、ＳＴ１５３としてこの検出した店舗の店舗コードと店舗名からなる店舗情報を、ネットワーク４を介して要求コマンド送信元の携帯電話３に送信する（店舗識別情報送信手段）。
【００６４】
これに対し、該当する店舗を検出できなかった場合には（ＳＴ１５２のＮＯ）、制御部７８は、ＳＴ１５４としてエラー応答のコマンドを、ネットワーク４を介して要求コマンド送信元の携帯電話３に送信する。
【００６５】
そこで、携帯電話３の制御部３１は、店舗管理サーバ１に店舗情報を要求した後、ＳＴ５５としてその応答を待機する。そして、ネットワーク接続部２８を介して店舗管理サーバ１から店舗情報の応答を受信したならば、制御部３１は、ＳＴ５６としてこの店舗情報を店舗情報エリア３４に格納する（店舗識別情報取得手段）。かくして、店舗情報取得処理を抜け、ＳＴ２の処理に進む。この際、店舗管理サーバ１との回線は接続されたままとなる。
【００６６】
なお、店舗管理サーバ１に店舗情報を要求したがその応答を受信できなかった場合（ＳＴ５５のＮＯ）には、制御部３１は、ＳＴ５７として店舗管理サーバ１との回線を切断する。しかる後、ＳＴ２２に戻り、表示部２３に店舗情報取得画面Ｇ１を表示させる。なお、店舗管理サーバ１との回線を接続できなかった場合においても（ＳＴ５２のＮＯ）、制御部３１は、ＳＴ２２に戻り、表示部２３に店舗情報取得画面Ｇ１を表示させる。
【００６７】
上述した３通りの店舗情報取得手順のうちいずれかの手順で店舗情報を取得した携帯電話３の制御部３１は、ＳＴ２として店舗管理サーバ１と回線接続中か否かを判断する。ここで、接続中の場合には、ＳＴ５の処理に進む。
【００６８】
店舗管理サーバ１との回線が接続されていない場合には、制御部３１は、ＳＴ３としてネットワーク接続部２８を動作させて店舗管理サーバ１との回線接続を図る。その結果、回線が接続された場合には、制御部３１は、ＳＴ５の処理に進む。
【００６９】
これに対し、回線が接続されなかった場合には（ＳＴ４のＮＯ）、制御部３１は、購買取引端末プログラムＰ１を終了させる。この場合、店舗情報エリア３４には直前の店舗情報取得処理で取得した店舗情報が記憶されたままとなるので、次に、購買取引端末プログラムＰ１を起動した際には、店舗情報取得処理をスルーして、ＳＴ２の処理に進む。
【００７０】
ＳＴ５では、制御部３１は、表示部２３にメニュー画面Ｇ６を表示させる。メニュー画面Ｇ６の一例を図３４（ａ）に示す。図示するようにメニュー画面Ｇ６には、「買物」ボタンＢ６、「履歴確認」ボタンＢ７及び「店舗情報変更」ボタンＢ８が表示されている。また、店舗情報エリア３４に格納されている店舗名も表示されている。
【００７１】
そこで制御部３１は、ＳＴ６〜ＳＴ９としてキー入力部２４の操作入力によっていずれかのボタンが選択入力されるか、「終了」の指示入力がなされるかを待機する。ここで、「終了」の指示入力がなされた場合には（ＳＴ９のＹＥＳ）、制御部３１は、ＳＴ１０として店舗管理サーバ１との回線を切断する。また、ＳＴ１１として店舗情報エリア３４から店舗情報をクリアする。しかる後、購買取引端末プログラムＰ１を終了させる。
【００７２】
「店舗変更」ボタンＢ８が選択入力された場合には（ＳＴ８６のＹＥＳ）、制御部３１は、図１２のＳＴ２２の処理に進み、表示部２３に店舗情報取得画面Ｇ１を表示させる。以後、前述した店舗情報取得処理を実行する。
【００７３】
メニュー画面Ｇ６において、「買物」ボタンＢ６が選択入力された場合には（ＳＴ６のＹＥＳ）、制御部３１は、ＳＴ１２として買物処理を実行する。この処理は、図１６〜図１８の流れ図によって具体的に示される。
【００７４】
すなわち制御部３１は、ＳＴ６１として表示部２３にコード読取画面Ｇ７を表示させ、撮像部２５によるバーコードまたは二次元データコードの読取り動作を一定時間作動させる。コード読取画面Ｇ７の一例を図３４（ｂ）に示す。コード読取画面Ｇ７には、コード読取領域Ａ１が表示されている。このコード読取領域Ａ１内にバーコードまたは二次元データコードが位置し、撮像部２５で撮像されると、コードデコード部２７が作用して、バーコードまたは二次元データコードがデコードされる。
【００７５】
そこで制御部３１は、ＳＴ６２としてバーコードまたは二次元データコードがデコードされた場合には、ＳＴ６３としてそのデコードされたコードに商品コードが含まれるか否かを判断する。ここで、バーコードまたは二次元データコードがデコードされなかったり（ＳＴ６２のＮＯ）、デコードされたコードが商品コードを含まなかったりした場合には（ＳＴ６３のＮＯ）、制御部３１は、ＳＴ５に戻り、表示部２３の画面をメニュー画面Ｇ６に戻す。
【００７６】
これに対し、バーコードまたは二次元データコードがデコードされ（ＳＴ６２のＹＥＳ）、それが商品コードを含むコードであった場合には（ＳＴ６３のＹＥＳ）、制御部３１は、ＳＴ６４としてこの商品コードと店舗情報エリア３４に格納されている店舗コードとを検索条件として含む商品詳細情報要求コマンドを生成し、このコマンドをネットワーク４を通じて店舗管理サーバ１に送信する（商品詳細情報要求手段）。
【００７７】
商品詳細情報要求コマンドを受信した店舗管理サーバ１の制御部７８は、図２４の流れ図に示す処理を実行する。先ず、ＳＴ１６１として要求コマンドに含まれる店舗コードを検索キーデータとして店舗データベース１１を検索する。そして、ＳＴ１６２として検索キーデータである店舗コードがセットされた店舗データレコードから商品ＤＢＮｏを取得する。
【００７８】
次に、制御部７８は、ＳＴ１６３としてその商品ＤＢＮｏを検索キーデータとして商品データベース１２を検索する。そして、検索キーデータである商品ＤＢＮｏがセットされた商品データテーブルＴ１から、要求コマンドに含まれる商品コードを検索する。ここで、当該商品コードがセットされた商品データレコードが商品データテーブルＴ１に格納されていた場合には（ＳＴ１６４のＹＥＳ）、制御部７８は、ＳＴ１６５としてその商品データレコードの商品コード，商品名，単価，販促情報，商品画像等の商品詳細情報を取得する（店舗別詳細情報取得手段）。そして、ＳＴ１６６としてこの商品詳細情報を要求コマンド送信元の携帯電話３に送信する（商品詳細情報返信手段）。
【００７９】
これに対し、当該商品コードがセットされた商品データレコードが商品データテーブルＴ１に格納されていなかった場合には（ＳＴ１６４のＮＯ）、制御部７８は、ＳＴ１６７としてエラー応答のコマンドを要求コマンド送信元の携帯電話３に送信する。
【００８０】
商品詳細情報要求コマンドを送信した携帯電話３の制御部３１は、ＳＴ６５として商品詳細情報の応答を待機する。そして、店舗管理サーバ１からネットワーク４を介して商品コード，商品名，単価，販促情報，商品画像等の商品詳細情報を受信すると（ＳＴ６５のＹＥＳ）、制御部３１は、ＳＴ６５としてこの商品詳細情報をデータ記憶部２１に一時記憶するとともに、表示部２３に商品詳細情報画面Ｇ８を表示させる。
【００８１】
商品詳細情報画面Ｇ８の一例を図３４（ｃ）に示す。図示するように、商品詳細情報画面Ｇ８には、商品詳細情報として受信した商品名，商品画像，単価等が表示されている。なお、この図の例は販促情報がない商品の例であり、販促情報がある場合はその販促情報も表示される。この他、商品詳細情報画面Ｇ８には、購入数の入力エリアＡ２と、「購入」ボタンＢ９と、「メニュー」ボタンＢ１０とが表示されている。入力エリアＡ２には、初期値“１”が表示されており、キー入力部２４からの数値入力によって所望の購入数を入力できるようになっている。「購入」ボタンＢ９は、詳細情報表示中の商品を購入する際に操作され、「メニュー」ボタンＢ１０は、同商品を購入しない場合に操作される（商品購入受付手段）。
【００８２】
そこで制御部３１は、ＳＴ６７〜ＳＴ６８としてキー入力部２４の操作入力によっていずれかのボタンが選択入力されるのを待機する。そして、「メニュー」ボタンＢ９が選択入力された場合には（ＳＴ６７のＹＥＳ）、ＳＴ５に戻り、表示部２３の画面をメニュー画面Ｇ６に戻す。
【００８３】
「購入」ボタンが選択入力された場合には（ＳＴ６８のＹＥＳ）、制御部３１は、ＳＴ６９として商品詳細情報として記憶した商品コード，商品名及び単価と、入力エリアＡ２に入力されている購入数と、単価と購入数とから算出した購入金額とにより購入商品情報を生成する。そして、ＳＴ７０としてこの購入商品情報と、会員コードエリア３２内の会員コード及び店舗情報エリア３４内の店舗情報（店舗コード，店舗名）とを含む商品購入コマンドを生成し、このコマンドを店舗管理サーバ１に送信する（商品詳細情報要求手段）。
【００８４】
商品購入コマンドを受けた店舗管理サーバ１の制御部７８は、図２５の流れ図に示す処理を実行する。先ず、ＳＴ１７１として受信コマンドに含まれる会員コードを検索キーデータとして会員データベース１３を検索する。そして、ＳＴ１７２として検索キーデータである会員コードがセットされた会員データレコードからカゴＤＢＮｏを取得する。
【００８５】
次に、制御部７８は、ＳＴ１７３としてカゴＤＢＮｏが“０”であるか否かを判断する。カゴＤＢＮｏが“０”の場合には（ＳＴ１７３のＹＥＳ）、当該会員コードの会員に対して買物カゴテーブルＴ３が未だ作成されていないので、制御部７８は、ＳＴ１７４として買物カゴデータベース１５に、新規のカゴＤＢＮｏが設定された買物カゴテーブルＴ３を追加する。このとき、この新規の買物カゴテーブルＴ３には、受信コマンド中の店舗コード及び店舗名と、時計部７６で計時されている買物日の情報も設定する。また、ＳＴ１７５としてこの新規のカゴＤＢＮｏを、会員データベース１３における当該会員コードの会員データレコードに記録する。カゴＤＢＮｏが“０”でない場合には（ＳＴ１７３のＮＯ）、当該会員コードの会員に対して当該カゴＤＢＮｏの買物カゴテーブルＴ３が作成されているので、ＳＴ１７４，ＳＴ１７５の処理は実行しない。
【００８６】
次に、制御部７８は、ＳＴ１７６として当該会員コードがセットされた買物カゴテーブルＴ３に、受信コマンド中の商品コード，商品名，単価，数量及び金額を、時計部７６で計時されている買物時刻とともに購入商品情報として追加格納する。また、合計数量及び合計金額も再計算する（買物情報格納手段）。しかる後、この買物カゴテーブルＴ３のデータを、ネットワーク４を介して要求コマンド送信元の携帯電話３に送信する。
【００８７】
商品購入要求を送信した携帯電話３の制御部３１は、ＳＴ７１として店舗管理サーバ１から買物カゴテーブルＴ３のデータを受信するのを待機している。そして、ネットワーク４を通じて買物カゴテーブルＴ３のデータを受信したならば、制御部３１は、ＳＴ７２としてその買物カゴテーブルＴ３のデータをデータ記憶部２１に一時記憶するとともに、そのデータの内容に基づいて表示部２３に買物カゴ画面Ｇ９を表示させる。
【００８８】
買物カゴ画面Ｇ９の一例を図３４（ｄ）に示す。図示するように、買物カゴ画面Ｇ９には、購入した商品名，単価，数量及び合計金額が表示されるとともに、「コード読取」ボタンＢ１１、「締め」ボタンＢ１２及び「キャンセル」ボタンＢ１３が表示されている。
【００８９】
そこで制御部３１は、ＳＴ７３〜ＳＴ７５としていずれかのボタンが選択入力されるのを待機する。ここで、「コード読取」ボタンＢ１１が選択入力された場合には、次の購入商品のコード読取が宣言されたので、制御部３１は、ＳＴ６１に戻り、表示部２３の画面をコード読取画面Ｇ７に戻す。
【００９０】
これに対し、「キャンセル」ボタンＢ１３が選択入力された場合には、買物取消が宣言されたので、制御部３１は、ＳＴ９１として表示部２３にキャンセル画面Ｇ１０を表示させる。
【００９１】
キャンセル画面Ｇ１０の一例を図３４（ｅ）に示す。図示するように、キャンセル画面Ｇ１０には、商品名のチェックリストＬ５と、「キャンセル」ボタンＢ１４及び「全てキャンセル」ボタンＢ１５とが表示されている。チェックリストＬ５には、受信した買物カゴテーブルＴ３に格納されている商品名とそれに対応したチェックボックスとが表示される。
【００９２】
そこで制御部３１は、ＳＴ９２〜ＳＴ９３としてキー入力部２４の操作によりいずれかのボタンが選択入力されるのを待機する。ここで、「全てキャンセル」ボタンＢ１５が選択入力された場合には（ＳＴ９２のＹＥＳ）、買物カゴテーブルＴ３に格納されている全ての商品の購入取消が宣言されたので、制御部３１は、ＳＴ９６として会員コードエリア３２内の会員コードを含む一括取消要求コマンドを生成し、ネットワーク４を介して店舗管理サーバ１に送信する。
【００９３】
これに対し、「キャンセル」ボタンＢ１４が選択入力された場合には（ＳＴ９３のＹＥＳ）、買物カゴテーブルＴ３に格納されている商品のうちチェックボックスで選択された商品の取消が宣言されたので、制御部３１は、ＳＴ９４としてチェックボックスで選択された商品の有無を判断する。そして、選択された商品がある場合には（ＳＴ９４のＹＥＳ）、制御部３１は、ＳＴ９５としてその選択された商品の商品コードと会員コードエリア３２内の会員コードとを含む商品取消要求コマンドを生成し、ネットワーク４を介して店舗管理サーバ１に送信する。
【００９４】
なお、「キャンセル」ボタンＢ１４が選択入力に対してチェックボックスで選択された商品がない場合には、取消処理の中止が宣言されたので、制御部３１は、後述するＳＴ９８のキャンセル完了画面表示処理に進む。
【００９５】
一括取消要求コマンドを受信した店舗管理サーバ１の制御部７８は、図２６の流れ図に示す処理を実行する。先ず、ＳＴ１８１として受信コマンドに含まれる会員コードを検索キーデータとして会員データベース１３を検索する。そして、ＳＴ１８２として検索キーデータである会員コードがセットされた会員データレコードからカゴＤＢＮｏを取得する。
【００９６】
次に、制御部７８は、ＳＴ１８３としてカゴＤＢＮｏが“０”であるか否かを判断する。カゴＤＢＮｏが“０”でない場合には、制御部７８は、ＳＴ１８４としてそのカゴＤＢＮｏの買物カゴテーブルＴ３から購入商品情報及び合計情報をクリアする。しかる後、ＳＴ１８５としてこの買物カゴテーブルＴ３のデータを、ネットワーク４を介してコマンド要求元の携帯電話３に送信する。
【００９７】
なお、カゴＤＢＮｏが“０”であった場合には（ＳＴ１８３のＹＥＳ）、制御部７８は、ＳＴ１８６としてエラー応答をコマンド要求元の携帯電話３に送信する。
【００９８】
一方、商品取消要求コマンドを受信した店舗管理サーバ１の制御部７８は、図２７の流れ図に示す処理を実行する。先ず、ＳＴ１９１として受信コマンドに含まれる会員コードを検索キーデータとして会員データベース１３を検索する。そして、ＳＴ１９２として検索キーデータである会員コードがセットされた会員データレコードからカゴＤＢＮｏを取得する。
【００９９】
次に、制御部７８は、ＳＴ１９３としてカゴＤＢＮｏが“０”であるか否かを判断する。カゴＤＢＮｏが“０”でない場合には、制御部７８は、ＳＴ１９４としてそのカゴＤＢＮｏの買物カゴテーブルＴ３を検索して、受信コマンド中の商品コードを含む購入商品情報が格納されているか否かを判断する。ここで、該当する購入商品情報が格納されている場合には（ＳＴ１９５のＹＥＳ）、ＳＴ１９６として買物カゴテーブルＴ３からその購入商品情報、つまりは取消商品情報を削除する。また、合計数量及び合計金額を再計算する。しかる後、ＳＴ１９７としてその買物カゴテーブルＴ３のデータを、ネットワーク４を介してコマンド要求元の携帯電話３に送信する。
【０１００】
なお、カゴＤＢＮｏが“０”であった場合（ＳＴ１９４のＹＥＳ）、及び、買物カゴテーブルＴ３に取消商品情報が記憶されていない場合には（ＳＴ１９５のＮＯ）、制御部７８は、エラー応答をコマンド要求元の携帯電話３に送信する。
【０１０１】
一括取消要求コマンドまたは商品取消要求コマンドを送信した携帯電話３の制御部３１は、ＳＴ９７として店舗管理サーバ１から買物カゴテーブルＴ３のデータを受信するのを待機している。そして、ネットワーク４を介して買物カゴテーブルＴ３のデータを受信したならば、制御部３１は、ＳＴ９８としてその買物カゴテーブルＴ３のデータをデータ記憶部２１に一時記憶するとともに、表示部２３にキャンセル完了画面Ｇ１１を表示させる。
【０１０２】
商品取消要求コマンドを送信した後のキャンセル完了画面Ｇ１１の一例を図３４（ｆ）に示す。図示するように、キャンセル完了画面Ｇ１１には、取消した商品名が表示されるとともに、「買物カゴ」ボタンＢ１６が表示されている。
【０１０３】
そこで制御部３１は、ＳＴ９９として「買物カゴ」ボタンＢ１６が選択入力されるのを待機する。そして、「買物カゴ」ボタンＢ１６が選択入力されたならば、制御部３１は、ＳＴ７２に戻り、データ記憶部２１で記憶している買物カゴテーブルＴ３のデータに基づいて買物カゴ画面Ｇ９を表示させる。
【０１０４】
買物カゴ画面Ｇ９を表示している状態において、「締め」ボタンＢ１２が選択入力された場合には（ＳＴ７５のＹＥＳ）、制御部３１は、ＳＴ７６として会員コードエリア３２内の会員コードともに締め要求コマンドを生成し、このコマンドを、ネットワーク４を介して店舗管理サーバ１に送信する。
【０１０５】
締め要求コマンドを受信した店舗管理サーバ１の制御部７８は、図２８の流れ図に示す処理を実行する。先ず、ＳＴ２０１として受信コマンドに含まれる会員コードを検索キーデータとして会員データベース１３を検索する。そして、ＳＴ２０２として検索キーデータである会員コードがセットされた会員データレコードからカゴＤＢＮｏを取得する。
【０１０６】
次に、制御部７８は、ＳＴ２０３としてカゴＤＢＮｏが“０”であるか否かを判断する。カゴＤＢＮｏが“０”でない場合には、制御部７８は、ＳＴ２０４としてそのカゴＤＢＮｏの買物カゴテーブルＴ３から合計数量及び合計金額の買物合計情報を取得する。そして、ＳＴ２０５としてこの買物合計情報を、ネットワーク４を介してコマンド要求元の携帯電話３に送信する。
【０１０７】
なお、カゴＤＢＮｏが“０”であった場合には（ＳＴ２０３のＹＥＳ）、制御部７８は、ＳＴ１８６としてエラー応答をコマンド要求元の携帯電話３に送信する。
【０１０８】
締め要求コマンドを送信した携帯電話３の制御部３１は、ＳＴ７７として買物合計情報の受信を待機する。そして、店舗管理サーバ１からネットワーク４を介して合計数量及び合計金額の買物合計情報を受信したならば、制御部３１は、ＳＴ７８として表示部２３に買物合計画面Ｇ１２を表示させる。
【０１０９】
買物合計画面Ｇ１２の一例を図３５（ａ）に示す。図示するように、買物合計画面Ｇ１２には、合計数量及び合計金額が表示される。また、電子マネーエリア３３に記憶されている電子マネーの残高も表示される。さらに、「買物カゴ」ボタンＢ１７及び「決済」ボタンＢ１８が表示されている。
【０１１０】
そこで制御部３１は、ＳＴ７９〜ＳＴ８０としてキー入力部２４の操作入力によりいずれかのボタンが選択入力されるのを待機する。ここで、「買物カゴ」ボタンＢ１７が選択入力された場合には、制御部３１は、ＳＴ７２に戻り、表示部２３の画面を買物カゴ画面Ｇ９に戻す。
【０１１１】
一方、「決済」ボタンＢ１８が選択入力された場合には、制御部３１は、ＳＴ８１として無線通信部２９を介して決済端末５と近距離無線通信を行い、会員コードエリア３２内の会員コードと電子マネーエリア３３内の電子マネー残高データを送信する。
【０１１２】
このとき、決済端末５において購買取引決済プログラムＰ３が起動されており、かつ、携帯電話３の無線通信部２９が決済端末５の無線通信部５９にかざされていて、携帯電話３と決済端末５との近距離無線通信が確立していた場合には、決済端末５では、その購買取引決済プログラムＰ３に従い、図２０の流れ図に示す電子決済処理が実行される。
【０１１３】
すなわち、決済端末５の制御部６０は、ＳＴ１１１として携帯電話３との近距離無線通信が確立されるのを待機する。そして確立されたならば、制御部６０は、ＳＴ１１２として携帯電話３から発信される会員コードと電子マネーデータを取り込む（購入者識別情報取込手段）。そして、ＳＴ１１３としてこの会員コードと店舗コードエリア６１に設定されている店舗コードとを検索条件として含む購入商品情報要求コマンドを生成し、このコマンドを、ネットワーク４を通じて店舗管理サーバ１に送信する（購入商品情報要求手段）。
【０１１４】
購入商品情報要求コマンドを受信した店舗管理サーバ１の制御部７８は、図２９の流れ図に示す処理を実行する。先ず、ＳＴ２１１として受信コマンドに含まれる会員コードを検索キーデータとして会員データベース１３を検索する。そして、ＳＴ２１２として検索キーデータである会員コードがセットされた会員データレコードからカゴＤＢＮｏを取得する。
【０１１５】
次に、制御部７８は、ＳＴ２１３として買物カゴデータベース１５を検索し、このカゴＤＢＮｏがセットされた買物カゴテーブルＴ３の店舗コードと、受信コマンドに含まれている店舗コードとを照合して、両店舗コードが一致するか否かを判断する。一致する場合には（ＳＴ２１４のＹＥＳ）、ＳＴ２１５としてその買物カゴテーブルＴ３から買物時刻,商品コード，商品名，単価，数量及び金額の購入商品情報及び合計点数，合計金額の合計情報を一括して取得する（購入商品情報取得手段）。そして、ＳＴ２１６としてこの取得した購入商品情報及び合計情報とその買物カゴテーブルＴ３のカゴＤＢＮｏとを、要求コマンド送信元の決済端末５にネットワーク４を介して送信する（購入商品情報送信手段）。なお、両店舗コードが一致しなかった場合には（ＳＴ２１４のＮＯ）、制御部７８は、ＳＴ２１７としてエラー応答を要求コマンド送信元の決済端末５に送信する。
【０１１６】
購入商品情報要求コマンドを送信した決済端末５の制御部６０は、ＳＴ１１４として店舗管理サーバ１から購入商品情報が送られてくるのを待機している。そして、ネットワーク４を介して購入商品情報及び合計情報とカゴＤＢＮｏの情報を受信したならば、制御部６０は、ＳＴ１１５としてこの受信情報をデータ記憶部５１で一時記憶する。
【０１１７】
次に、制御部６０は、ＳＴ１１６として受信した合計金額と携帯電話３から取り込んだ電子マネーデータの残高とを比較する。その結果、合計金額が電子マネー残高以下の場合には、電子マネー決済が成立するので、制御部６０は、ＳＴ１１７として電子マネー残高から合計金額分を減額する。そして、ＳＴ１１８として合計金額分減額後の新たな電子マネー残高データを含む決済完了指令を近距離無線通信が確立している携帯電話３に送信する（決済処理手段）。
【０１１８】
さらに、制御部６０は、ＳＴ１１９として店舗管理サーバ１から受信したカゴＤＢＮｏを含む決済完了処理要求コマンドを生成し、ネットワーク４を介して店舗管理サーバ１に送信する。その後、ＳＴ１２０としてデータ記憶部５１に格納した購入商品情報とカゴＤＢＮｏをクリアしたならば、購買取引決済プログラムＰ３を終了させる。
【０１１９】
なお、合計金額が電子マネー残高を越える場合には、電子マネー決済が成立しないので、制御部６０は、ＳＴ１２１としてその他の決済指令を近距離無線通信が確立している携帯電話３に送信する。その後、ＳＴ１２２として現金決済，クレジット決済等の別の方法で決済が成立するのを待機し、決済が成立したならば、制御部６０は、ＳＴ１１８に進む。すなわち、決済完了指令を近距離無線通信が確立している携帯電話３に送信する。また、カゴＤＢＮｏを含む決済完了処理要求コマンドを店舗管理サーバ１に送信する。しかる後、データ記憶部５１から購入商品情報とカゴＤＢＮｏをクリアして、購買取引決済プログラムＰ３を終了させる。
【０１２０】
決済完了処理要求コマンドを受信した店舗管理サーバ１の制御部７８は、図３０の流れ図に示す処理を実行する。先ず、ＳＴ２２１として受信コマンドに含まれるカゴＤＢＮｏを検索キーデータとして買物カゴデータベース１５を検索し、検索キーデータであるカゴＤＢＮｏがセットされた買物カゴテーブルＴ３を読み込む。そして、この買物カゴテーブルＴ３から買物日，店舗コード，店舗名及び全ての購入商品情報を取得して、購買履歴レコードを作成する。
【０１２１】
次に、制御部７８は、ＳＴ２２２として同買物カゴテーブルＴ３から会員コードを取得する。そして、ＳＴ２２３としてこの会員コードを検索キーデータとして会員データベース１３を検索し、ＳＴ２２４として当該会員コードの会員データレコードから履歴ＤＢＮｏを取得する。
【０１２２】
次に、制御部７８は、ＳＴ２２５として取得した履歴ＤＢＮｏが“０”であるか否かを判断する。履歴ＤＢＮｏが“０”の場合には、当該会員コードで特定される会員に対して履歴データテーブルＴ２が作成されていないので、ＳＴ２２６として履歴データベース１４に新規の履歴ＤＢＮｏが設定された履歴データテーブルＴ２を追加する。また、ＳＴ２２７としてこの新規の履歴ＤＢＮｏを、会員データベース１３における当該会員コードの会員データレコードに記録する。履歴ＤＢＮｏが“０”でない場合には（ＳＴ２２５のＮＯ）、当該会員コードの会員に対して当該履歴ＤＢＮｏの履歴データテーブルＴ２が作成されているので、ＳＴ２２６，ＳＴ２２７の処理は実行しない。
【０１２３】
次に、制御部７８は、ＳＴ２２８として当該会員に対する履歴データテーブルＴ２に、ＳＴ２２１の処理で作成した購買履歴レコードを追加する。しかる後、制御部７８は、ＳＴ２２９として当該会員コードの会員データレコードに記憶されているカゴＤＢＮｏを“０”に書き換える。また、ＳＴ２３０として受信コマンド中のカゴＤＢＮｏが設定された買物カゴテーブルＴ３を買物カゴデータベース１５から消去する。
【０１２４】
決済端末５に会員コードと電子マネー残高データを送信した携帯電話３の制御部３１は、ＳＴ８２として決済端末５から決済完了指令があるのを待機する。ここで、決済完了指令でなく、その他の決済要求を受信した場合には、制御部３１は、ＳＴ８３として表示部２３にその他の決済を指示する画面を表示させる。そして、再び、決済完了指令を待機する。
【０１２５】
決済端末５から決済完了指令を受信した場合には、制御部３１は、ＳＴ８４として表示部２３に決済完了画面Ｇ１３を表示させる。このとき、決済完了指令に新規残高データが含まれている場合には、電子マネーエリア３３の残高データをその新規残高データに書き換える。決済完了画面Ｇ１３の一例を図３５（ｂ）に示す。図示するように、決済完了画面Ｇ１３には、最新の電子マネー残高と「メニュー」ボタンＢ１９とが表示されている。
【０１２６】
そこで制御部３１は、ＳＴ８５〜ＳＴ８６としてキー入力部２４の操作入力により「メニュー」ボタンＢ１９が選択入力されるか、「終了」の指示入力がなされるかを待機する。ここで、「メニュー」ボタンＢ１９が選択入力された場合には（ＳＴ８５のＹＥＳ）、制御部３１は、ＳＴ５に戻り、表示部２３の画面をメニュー画面Ｇ６に戻す。
【０１２７】
一方、「終了」の指示入力がなされた場合には（ＳＴ８６のＹＥＳ）、制御部３１は、ＳＴ１０に進み、店舗管理サーバ１との回線を切断する。また、店舗情報エリア３４から店舗情報をクリアする。しかる後、購買取引端末プログラムＰ１を終了させる。
【０１２８】
メニュー画面Ｇ６において、「履歴確認」ボタンＢ７が選択入力された場合には（ＳＴ７のＹＥＳ）、制御部３１は、ＳＴ１３として履歴確認処理を実行する。この処理は、図１９の流れ図によって具体的に示される。
【０１２９】
すなわち制御部３１は、ＳＴ１０１として会員コードエリア３２に記憶されている会員コードと、店舗情報エリア３４に記憶されている店舗コードとを検索条件として簡易履歴要求コマンドを生成し、ネットワーク４を通じて店舗管理サーバ１に送信する。
【０１３０】
この簡易履歴要求コマンドを受信した店舗管理サーバ１の制御部７８は、図３１の流れ図に示す処理を実行する。先ず、ＳＴ２３１として要求コマンドに含まれる会員コードを検索キーデータとして会員データベース１３を検索する。そして、ＳＴ２３２として検索キーデータである会員コードがセットされた会員データレコードから履歴ＤＢＮｏを取得する。
【０１３１】
次に、制御部７８は、ＳＴ２３３として履歴ＤＢＮｏが“０”であるか否かを判断する。ここで、履歴ＤＢＮｏが“０”でない場合には、制御部７８は、ＳＴ２３４としてその履歴ＤＢＮｏを検索キーデータとして履歴データベース１４を検索する。そして、ＳＴ２３５として検索キーデータである履歴ＤＢＮｏがセットされた履歴データテーブルＴ２を読み込む。
【０１３２】
次に、制御部７８は、ＳＴ２３６として上記履歴データテーブルＴ２から受信コマンド中の店舗コードがセットされた購買履歴レコードを抽出する。そして、ＳＴ２３７として該当する購買履歴レコードを全て抽出したならば、制御部７８は、ＳＴ２３８としてその抽出した購買履歴レコードで買物日リストからなる簡易履歴情報を生成する。そして、ＳＴ２３９としてこの簡易履歴情報を、ネットワーク４を介して要求コマンド送信元の携帯電話３に送信する。
【０１３３】
なお、履歴ＤＢＮｏが“０”であった場合（ＳＴ２３３のＹＥＳ）、あるいは店舗コードが一致する購買履歴情報を抽出できなかった場合には（ＳＴ２３７のＮＯ）、制御部７８は、ＳＴ２４０として履歴なし応答のコマンドを、ネットワーク４を介して要求コマンド送信元の携帯電話３に送信する。
【０１３４】
簡易履歴要求コマンドを送信した携帯電話３の制御部３１は、ＳＴ１０２として簡易履歴情報の応答を待機する。ここで、簡易履歴情報の応答がなかった場合には、メニュー画面Ｇ６に戻る。
【０１３５】
ネットワーク４を介して店舗管理サーバ１から簡易履歴情報の応答を受信した場合には（ＳＴ１０２のＹＥＳ）、制御部３１は、ＳＴ１０３として表示部２３に簡易履歴画面Ｇ１４を表示させる。簡易履歴画面Ｇ１４の一例を図３５（ｃ）に示す。図示するように、簡易履歴画面Ｇ１４には、簡易履歴情報として受信した買物日リストＬ６が購入履歴として表示される。また、「戻る」ボタンＢ２０が表示されている。
【０１３６】
そこで制御部３１は、ＳＴ１０４としてキー入力部２４の操作入力により「戻る」ボタンＢ２０が選択入力されるか、ＳＴ１０５として買物日リストＬ６の中からいずれかの買物日が選択されるのを待機する。ここで、「戻る」ボタンＢ２０が選択入力された場合には（ＳＴ１０４のＹＥＳ）、メニュー画面Ｇ６に戻る。
【０１３７】
これに対し、いずれかの買物日が選択入力された場合には、制御部３１は、ＳＴ１０６として会員コードエリア３２内の会員コード及び店舗情報エリア３４内の店舗コードとともにその選択された買物日のデータを検索条件として詳細履歴要求コマンドを生成し、ネットワーク４を通じて店舗管理サーバ１に送信する。
【０１３８】
この詳細履歴要求コマンドを受信した店舗管理サーバ１の制御部７８は、図３２の流れ図に示す処理を実行する。先ず、ＳＴ２４１として要求コマンドに含まれる会員コードを検索キーデータとして会員データベース１３を検索する。そして、ＳＴ２４２として検索キーデータである会員コードがセットされた会員データレコードから履歴ＤＢＮｏを取得する。
【０１３９】
この場合、履歴ＤＢＮｏは“０”でないことが、先の簡易履歴要求コマンド受信処理で確認されているので、制御部７８は、ＳＴ２４３としてその履歴ＤＢＮｏを検索キーデータとして履歴データベース１４を検索する。そして、ＳＴ２４４として検索キーデータである履歴ＤＢＮｏがセットされた履歴データテーブルＴ２を読み込む。
【０１４０】
次に、制御部７８は、ＳＴ２４５として上記履歴データテーブルＴ２から受信コマンド中の買物日と店舗コードの両方がセットされた購買履歴レコードを抽出する。そして、ＳＴ２４６として該当する購買履歴レコードを抽出したならば、制御部７８は、ＳＴ２４７としてその抽出した購買履歴レコードの購入商品情報で詳細履歴情報を編集する。そして、ＳＴ２４８としてこの詳細履歴情報を、ネットワーク４を介して要求コマンド送信元の携帯電話３に送信する。
【０１４１】
なお、買物日及び店舗コードが一致する購買履歴情報を抽出できなかった場合には（ＳＴ２４６のＮＯ）、制御部７８は、ＳＴ２４９としてエラー応答のコマンドを、ネットワーク４を介して要求コマンド送信元の携帯電話３に送信する。
【０１４２】
詳細履歴要求コマンドを送信した携帯電話３の制御部３１は、ＳＴ１０７として詳細履歴情報の応答を待機する。ここで、詳細履歴情報の応答がなかった場合には、メニュー画面Ｇ６に戻る。
【０１４３】
ネットワーク４を介して店舗管理サーバ１から詳細履歴情報の応答を受信した場合には（ＳＴ１０７のＹＥＳ）、制御部３１は、ＳＴ１０８として表示部２３に詳細履歴画面Ｇ１５を表示させる。詳細履歴画面Ｇ１５の一例を図３５（ｄ）に示す。図示するように、詳細履歴画面Ｇ１５には、詳細履歴情報として受信した購入商品情報の明細やその合計などが詳細購入履歴として表示される。また、「戻る」ボタンＢ２１と「メニュー」ボタンＢ２２とが表示されている。
【０１４４】
そこで制御部３１は、ＳＴ１０９〜ＳＴ１１０としてキー入力部２４の操作入力によりいずれかのボタンが選択入力されるのを待機する。ここで、「戻る」ボタンＢ２１が選択入力された場合には（ＳＴ１０８のＹＥＳ）、制御部３１は、ＳＴ１０３に戻り、表示部２３の画面を簡易履歴画面Ｇ１４に戻す。「メニュー」ボタンＢ２２が選択入力された場合には（ＳＴ１０９のＹＥＳ）、表示部２３の画面をメニュー画面Ｇ１６に戻す。
【０１４５】
このように構成された本実施の形態においては、購買取引支援サービスの会員となった購入者は、自己が携帯する携帯電話３に購買取引端末プログラムＰ１をダウンロードすることによって、購買取引支援サービス加盟店の実売店舗での購買取引に対して店舗管理サーバ１からの支援サービスを受けることができる。
【０１４６】
購入者は、先ず、キー入力部２４を操作して購買取引の開始を選択する。そうすると、購買取引端末プログラムＰ１が起動して、携帯電話３の表示部２３に店舗情報取得画面Ｇ１が表示される。そこで、購入者は、自身がこれから買物をする店舗の店舗識別情報を携帯電話３に登録する。
【０１４７】
この登録方法には４つの方法がある。第１の方法は、店舗内に設置されている店舗端末６から近距離無線通信により取得する方法である。すなわち購入者は、店舗端末６の無線通信部４５に携帯電話３の無線通信部２９を近づけて「更新」ボタンＢ１を操作入力する。そうすると、店舗端末６にあらかじめ設定されている店舗識別情報（店舗コード，店舗名）が携帯電話３の店舗情報エリア３４にダウンロードされる。
【０１４８】
第２の方法は、自身の過去の購買取引履歴から検索する方法である。すなわち、購入者は、「過去履歴」ボタンＢ２を操作入力する。そうすると、店舗管理サーバ１との回線が接続され、履歴データベース１４に記憶管理されている購買履歴データから自身が以前に購買取引を行った店舗名のリストＬ１が表示部２３に表示されるので、その中から実際に買物を行う店舗を選択する。こうすることにより、携帯電話３の店舗情報エリア３４には、その店舗の店舗識別情報がセットされる。
【０１４９】
第３の方法は、加盟店リストから検索する方法である。すなわち、購入者は、「店舗リストから選択」ボタンＢ３を操作入力する。そうすると、店舗管理サーバ１との回線が接続され、店舗データベース１１に記憶管理されている加盟店の地域別リストＬ２〜Ｌ４が表示部２３に表示されるので、その中から実際に買物を行う店舗を選択する。こうすることにより、携帯電話３の店舗情報エリア３４には、その店舗の店舗識別情報がセットされる。
【０１５０】
第４の方法は、ＧＰＳを利用する方法である。すなわち、購入者は、実際に買物を行う店舗内若しくはその近傍において「位置情報から取得」ボタンＢ４を操作入力する。そうすると、ＧＰＳ部３０が動作して現在地情報が算出される。そして、店舗管理サーバ１との回線が接続されて、現在地情報が店舗管理サーバ１に送信される。店舗管理サーバ１においては、店舗データベース１１に設定されている各加盟店の位置情報から現在地情報に一致した店舗が検索され、その店舗の店舗識別情報が返信される。かくして、携帯電話３の店舗情報エリア３４には、現在、購入者が居る店舗の店舗識別情報がセットされる。
【０１５１】
店舗識別情報が携帯電話３に登録されると、その表示部２３にはメニュー画面Ｇ６が表示される。このメニュー画面Ｇ６には、登録された店舗識別情報の店舗名が表示されているので、購入者は、購買取引を行う店舗と携帯電話３に登録された店舗とが一致しているか否かを確認することができる。
【０１５２】
さて、実際に購買取引を行う際には、購入者は、メニュー画面Ｇ６の「買物」ボタンＢ６を操作入力する。そうすると、コード読取画面Ｇ７が表示されるので、購入する商品のバーコードまたは二次元データコードを読み取り操作する。携帯電話３の撮像部２５の作用により商品のバーコードまたは二次元データコードが読み取られると、その商品の識別情報である商品コードと店舗情報エリア３４に登録された店舗コードとを含む商品詳細情報要求コマンドが店舗管理サーバ１に送信される。
【０１５３】
店舗管理サーバ１においては、店舗データベース１１から当該店舗コードに対応する商品ＤＢＮｏが検出され、商品データベース１２から当該商品ＤＢＮｏの商品データテーブルＴ１が検索されて、当該商品コードに対応する商品詳細情報が読み出される。そして、この商品詳細情報が携帯電話３に返信されて、表示部２３に商品詳細情報画面Ｇ８として表示される。
【０１５４】
ここで、店舗コードに対応する商品ＤＢＮｏの商品データテーブルＴ１は、その店舗コードで識別される実売店舗で販売されている商品の価格等のデータが設定されたテーブルである。したがって、携帯電話３の商品詳細情報画面Ｇ８には、購入者が購買取引を行おうとする店舗での当該商品の価格や販促情報等が正確に表示される。
【０１５５】
購買者は、商品詳細情報画面Ｇ８を見て商品の購入を決めた場合には、「購入」ボタンＢ９を操作入力する。そうすると、店舗管理サーバ１においては、当該購入者に対する買物カゴテーブルＴ３が買物カゴデータベース１５に作成され、このテーブルＴ３に購入を決めた商品の情報が蓄積される。
【０１５６】
「購入」ボタンＢ９を操作入力すると、携帯電話３の表示部２３には、現時点の買物カゴテーブルＴ３の内容に対応した買物カゴ画面Ｇ９が表示される。そこで、買物を終了する場合には、購入者は「締め」ボタンＢ１２を操作入力する。そうすると、表示部２３の画面が買物合計画面Ｇ１２に切り替るので、購入者は、店の決済端末５に近付き、その無線通信部５９に携帯電話３の無線通信部４５をかざして「決済」ボタンＢ１８を操作入力する。そうすると、携帯電話３から決済端末５に会員コードと電子マネーの残高データとが無線送信される。
【０１５７】
決済端末５では、携帯電話３から取得した会員コードと予め設定されている店舗コードとを検索条件として含む購入商品要求コマンドが生成され、店舗管理サーバ１に送信される。このコマンドを受けて、店舗管理サーバ１では、会員コードと店舗コードとが一致する買物カゴテーブルＴ３が検索され、この買物カゴテーブルＴ３のデータが決済端末５に返信される。
【０１５８】
かくして決済端末５では、買物カゴテーブルＴ３のデータに基づいて電子マネーによる決済処理が行われる。そして、決済処理が完了したならば、携帯電話３の電子マネーデータが更新されるとともに、決済完了画面Ｇ１３が表示されるので、購入者は、終了を指示入力する。
【０１５９】
また、決済端末５では、店舗管理サーバ１に対して決済完了処理要求コマンドが送信される。このコマンドを受けて、店舗管理サーバ１では、当該購入者の買物カゴテーブルＴ３のデータに基づいて購買履歴情報が作成され、購入者別の履歴データテーブルＴ２に蓄積される。この購買履歴情報には、買物日や購入商品情報のほか、購買取引を行った店舗の識別情報も記録されている。
【０１６０】
そこで、店舗情報取得処理によって登録した店舗での購買取引履歴を確認したい購入者は、メニュー画面Ｇ６において、「履歴確認」ボタンＢ７を操作入力する。そうすると、データ記憶部２１に記憶されている会員コードと店舗コードとを含む簡易履歴情報要求コマンドが店舗管理サーバ１に送信される。
【０１６１】
これに応じて、店舗管理サーバ１においては、当該会員コードに対応して会員データベース１３に記憶されている履歴ＤＢＮｏが検出され、この履歴ＤＢＮｏの履歴データテーブルＴ２から当該店舗コードの購買履歴情報が抽出されて、その買物日リストが返信される。そして、携帯電話３の表示部２３に、買物日リストＬ６が示された簡易履歴画面Ｇ１４が表示される。
【０１６２】
そこで購入者は、買物日リストＬ６の中から詳細な履歴を確認したい日付を選択入力する。そうすると、その買物日に購入した商品のリスト等が表示される。
【０１６３】
このように本実施の形態によれば、購入者が実際に買物を行っている店舗で販売されている商品の情報を、当該購入者が携帯している携帯電話３を用いて容易に閲覧することができる。また、その店舗での過去の購買取引の履歴についても、携帯電話３を用いて容易に閲覧することができる。
【０１６４】
なお、この発明は前記実施形態そのままに限定されるものではなく、実施段階ではその要旨を逸脱しない範囲で構成要素を変形して具体化できる。
【０１６５】
例えば前記実施の形態では、携帯型通信端末の一態様として携帯電話３を示したが、ＰＨＳや携帯情報端末等を用いてもよいのは言うまでもないことである。
【０１６６】
また前記実施の形態では、店舗管理サーバ１を１台として各店舗が共有する場合を示したが、店舗別に店舗管理サーバ１を設けて購買取引支援システムを構築することも可能である。
【０１６７】
また、前記実施の形態では、携帯電話３で決済をする場合を示したが、携帯電話以外の方法で決済するシステムも本発明に含まれるものである。また本発明は、決済機能を除き、店舗毎の商品情報を携帯電話等の携帯型通信端末で容易に閲覧できるようにした購買取引支援システムであってもよい。
【０１６８】
また、前記実施の形態では、店舗端末６から近距離無線通信によって店舗情報を取得する場合を示したが、例えば店舗端末６の表示部４２に店舗コードに対応したバーコードまたは二次元データコードを表示させ、その画像を携帯電話３の撮像部２５で撮影することによって、店舗情報を取得するようにしてもよい。
【０１６９】
また、店舗情報を取得する方法として４つの方法を示したが、いずれか１つ、または２以上の方法を備えたものであってもよい。
【０１７０】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【０１７１】
さらに、本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。（この部分は、本明細書１４頁１６行目〜２１行目で説明したつもりですが，重複して追記する必要があるのでしょうか？）
【図面の簡単な説明】
【０１７２】
【図１】本発明の一実施の形態における購買取引支援システムの概要図。
【図２】同実施の形態において、店舗データベースに記憶されるデータの構造を示す模式図。
【図３】同実施の形態において、商品データベースに記憶されるデータの構造を示す模式図。
【図４】同実施の形態において、会員データベースに記憶されるデータの構造を示す模式図。
【図５】同実施の形態において、履歴データベースに記憶されるデータの構造を示す模式図。
【図６】同実施の形態において、買物カゴデータベースに記憶されるデータの構造を示す模式図。
【図７】同実施の形態における携帯電話の要部構成を示すブロック図。
【図８】同実施の形態における店舗端末の要部構成を示すブロック図。
【図９】同実施の形態における決済端末の要部構成を示すブロック図。
【図１０】同実施の形態における店舗管理サーバの要部構成を示すブロック図。
【図１１】同実施の形態において、携帯電話の制御部が購買取引端末プログラムに従い実行するメイン処理の要部手順を示す流れ図。
【図１２】図１１における店舗情報取得処理の手順を具体的に示す流れ図。
【図１３】図１２において、「過去履歴」ボタン入力後の手順を具体的に示す流れ図。
【図１４】図１２において、「店舗リストから選択」ボタン入力後の手順を具体的に示す流れ図。
【図１５】図１２において、「位置情報から取得」ボタン入力後の手順を具体的に示す流れ図。
【図１６】図１１における買物処理の手順の前半部を具体的に示す流れ図。
【図１７】図１１における買物処理の手順の後半部を具体的に示す流れ図。
【図１８】図１７において、「キャンセル」ボタン入力後の手順を具体的に示す流れ図。
【図１９】図１１における履歴確認処理の手順の前半部を具体的に示す流れ図。
【図２０】同実施の形態において、決済端末の制御部が購買取引決済プログラムに従い実行するメイン処理の要部手順を示す流れ図。
【図２１】同実施の形態において、店舗管理サーバの制御部が実行する履歴店舗リスト要求コマンド受信処理の要部手順を示す流れ図。
【図２２】同実施の形態において、店舗管理サーバの制御部が実行する提携店舗リスト要求コマンド受信処理の要部手順を示す流れ図。
【図２３】同実施の形態において、店舗管理サーバの制御部が実行する店舗情報要求コマンド受信処理の要部手順を示す流れ図。
【図２４】同実施の形態において、店舗管理サーバの制御部が実行する商品詳細情報要求コマンド受信処理の要部手順を示す流れ図。
【図２５】同実施の形態において、店舗管理サーバの制御部が実行する商品購入要求コマンド受信処理の要部手順を示す流れ図。
【図２６】同実施の形態において、店舗管理サーバの制御部が実行する一括取消要求コマンド受信処理の要部手順を示す流れ図。
【図２７】同実施の形態において、店舗管理サーバの制御部が実行する商品取消要求コマンド受信処理の要部手順を示す流れ図。
【図２８】同実施の形態において、店舗管理サーバの制御部が実行する締め要求コマンド受信処理の要部手順を示す流れ図。
【図２９】同実施の形態において、店舗管理サーバの制御部が実行する購入商品情報要求コマンド受信処理の要部手順を示す流れ図。
【図３０】同実施の形態において、店舗管理サーバの制御部が実行する決済完了要求コマンド受信処理の要部手順を示す流れ図。
【図３１】同実施の形態において、店舗管理サーバの制御部が実行する簡易履歴要求コマンド受信処理の要部手順を示す流れ図。
【図３２】同実施の形態において、店舗管理サーバの制御部が実行する詳細履歴要求コマンド受信処理の要部手順を示す流れ図。
【図３３】同実施の形態において、携帯電話の表示部に表示される主要な画面の一例を示す模式図。
【図３４】同実施の形態において、携帯電話の表示部に表示される主要な画面の一例を示す模式図。
【図３５】同実施の形態において、携帯電話の表示部に表示される主要な画面の一例を示す模式図。
【符号の説明】
【０１７３】
１…店舗管理サーバ、３…携帯電話、４…ネットワーク、５…決済端末、６…店舗端末、１１…店舗データベース、１２…商品データベース、１３…会員データベース、１４…履歴データベース、１５…買物カゴデータベース、２１，５１，７１…データ記憶部、２５…撮像部、２６，５６，７５…プログラム記憶部、２８，４４，５８，７７…ネットワーク接続部、２９，４５，５９…無線通信部、３０…ＧＰＳ部、３１，４６，６０，７８…制御部、４１…記憶部。
【図１】
2008217489.tif 000003
【図２】
2008217489.tif 000004
【図３】
2008217489.tif 000005
【図４】
2008217489.tif 000006
【図５】
2008217489.tif 000007
【図６】
2008217489.tif 000008
【図７】
2008217489.tif 000009
【図８】
2008217489.tif 000010
【図９】
2008217489.tif 000011
【図１０】
2008217489.tif 000012
【図１１】
2008217489.tif 000013
【図１２】
2008217489.tif 000014
【図１３】
2008217489.tif 000015
【図１４】
2008217489.tif 000016
【図１５】
2008217489.tif 000017
【図１６】
2008217489.tif 000018
【図１７】
2008217489.tif 000019
【図１８】
2008217489.tif 000020
【図１９】
2008217489.tif 000021
【図２０】
2008217489.tif 000022
【図２１】
2008217489.tif 000023
【図２２】
2008217489.tif 000024
【図２３】
2008217489.tif 000025
【図２４】
2008217489.tif 000026
【図２５】
2008217489.tif 000027
【図２６】
2008217489.tif 000028
【図２７】
2008217489.tif 000029
【図２８】
2008217489.tif 000030
【図２９】
2008217489.tif 000031
【図３０】
2008217489.tif 000032
【図３１】
2008217489.tif 000033
【図３２】
2008217489.tif 000034
【図３３】
2008217489.tif 000035
【図３４】
2008217489.tif 000036
【図３５】
2008217489.tif 000037
【手続補正書】
【提出日】平成20年3月6日(2008.3.6)
【手続補正１】
【補正対象書類名】特許請求の範囲
【補正対象項目名】請求項２
【補正方法】変更
【補正の内容】
【請求項２】
前記携帯型通信端末は、購買取引対象店舗の店舗識別情報を取得する店舗識別情報取得手段をさらに具備し、この店舗識別情報取得手段により得られた店舗識別情報を前記店舗識別情報記憶部で記憶することを特徴とする請求項１記載の購買取引支援システム。
【手続補正２】
【補正対象書類名】明細書
【補正対象項目名】００２０
【補正方法】変更
【補正の内容】
【００２０】
データ記憶部２１は、各種のデータを電源オフ時も安定に記憶保持するための領域であり、特に、当該携帯電話３を用いて購買取引支援サービスを受ける会員（購入者）に対して一意に設定された購入者識別情報としての会員コードを記憶する購入者識別情報記憶部としてのエリア３２と、電子決済に用いられる電子マネーの残高を記憶するエリア３３と、購買取引を行う店舗を特定するための店舗識別情報を一時的に記憶するための店舗識別情報記憶部としてのエリア３４とが形成されている。
【手続補正３】
【補正対象書類名】明細書
【補正対象項目名】００５９
【補正方法】変更
【補正の内容】
【００５９】
提携店舗リスト画面Ｇ３〜Ｇ５の一例を図３３（ｃ）〜（ｅ）に示す。図示するように第１段階の提携店舗リスト画面Ｇ３には、都道府県リストＬ２が表示されている。ここで、キー入力部２４の操作入力によりいずれかの都道府県が選択されると、第２段階の提携店舗リスト画面Ｇ４に切り替る。この提携店舗リスト画面Ｇ４には、選択された都道府県の市区町村リストＬ３が表示される。ここで、キー入力部２４の操作入力によりいずれかの市区町村が選択されると、第３段階の提携店舗リスト画面Ｇ５に切り替る。すなわち、その選択された市区町村の店舗名リストＬ４が表示される。なお、いずれの画面Ｇ３〜Ｇ５にも、「戻る」ボタンＢ５が表示されている。そして、画面Ｇ５において「戻る」ボタンＢ５が入力された場合には画面Ｇ４に戻り、画面Ｇ４において「戻る」ボタンＢ５が入力された場合には画面Ｇ３に戻るようになっている。
【手続補正４】
【補正対象書類名】明細書
【補正対象項目名】００８０
【補正方法】変更
【補正の内容】
【００８０】
商品詳細情報要求コマンドを送信した携帯電話３の制御部３１は、ＳＴ６５として商品詳細情報の応答を待機する。そして、店舗管理サーバ１からネットワーク４を介して商品コード，商品名，単価，販促情報，商品画像等の商品詳細情報を受信すると（ＳＴ６５のＹＥＳ）、制御部３１は、ＳＴ６６としてこの商品詳細情報をデータ記憶部２１に一時記憶するとともに、表示部２３に商品詳細情報画面Ｇ８を表示させる。
【手続補正５】
【補正対象書類名】明細書
【補正対象項目名】００８２
【補正方法】変更
【補正の内容】
【００８２】
そこで制御部３１は、ＳＴ６７〜ＳＴ６８としてキー入力部２４の操作入力によっていずれかのボタンが選択入力されるのを待機する。そして、「メニュー」ボタンＢ１０が選択入力された場合には（ＳＴ６７のＹＥＳ）、ＳＴ５に戻り、表示部２３の画面をメニュー画面Ｇ６に戻す。
【手続補正６】
【補正対象書類名】明細書
【補正対象項目名】０１０４
【補正方法】変更
【補正の内容】
【０１０４】
買物カゴ画面Ｇ９を表示している状態において、「締め」ボタンＢ１２が選択入力された場合には（ＳＴ７５のＹＥＳ）、制御部３１は、ＳＴ７６として会員コードエリア３２内の会員コードとともに締め要求コマンドを生成し、このコマンドを、ネットワーク４を介して店舗管理サーバ１に送信する。
【手続補正７】
【補正対象書類名】明細書
【補正対象項目名】０１０７
【補正方法】変更
【補正の内容】
【０１０７】
なお、カゴＤＢＮｏが“０”であった場合には（ＳＴ２０３のＹＥＳ）、制御部７８は、ＳＴ２０６としてエラー応答をコマンド要求元の携帯電話３に送信する。
【手続補正８】
【補正対象書類名】明細書
【補正対象項目名】０１４４
【補正方法】変更
【補正の内容】
【０１４４】
そこで制御部３１は、ＳＴ１０９〜ＳＴ１１０としてキー入力部２４の操作入力によりいずれかのボタンが選択入力されるのを待機する。ここで、「戻る」ボタンＢ２１が選択入力された場合には（ＳＴ１０９のＹＥＳ）、制御部３１は、ＳＴ１０３に戻り、表示部２３の画面を簡易履歴画面Ｇ１４に戻す。「メニュー」ボタンＢ２２が選択入力された場合には（ＳＴ１１０のＹＥＳ）、表示部２３の画面をメニュー画面Ｇ１６に戻す。
【手続補正９】
【補正対象書類名】明細書
【補正対象項目名】０１７１
【補正方法】変更
【補正の内容】
【０１７１】
さらに、本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【手続補正１０】
【補正対象書類名】図面
【補正対象項目名】図２８
【補正方法】変更
【補正の内容】
【図２８】
2008217489.tif 000038